(57)【要約】      （修正有）【課題】ランダムアクセスプロシージャのためのリソース割り振りを管理するためのシステム、方法、および装置を提供する。【解決手段】基地局は、ＵＥに、物理ランダムアクセスチャネル（ＰＲＡＣＨ）信号を送信するための時間および／または周波数リソースを、ＰＲＡＣＨ信号のタイプおよびクラスに基き割り振る。ＵＥは、定期的にスケジュールされたトラフィックを送信するために第１のリソースのサブセット及びオンデマンドトラフィックを送信するために第２のリソースのサブセットを割り当てられる。定期的にスケジュールされたトラフィックは、所定の時間間隔（例えば、２４時間間隔）で基地局にレポートされるセンサ測定値を含む。対照的に、オンデマンドトラフィックは、少なくとも１つのレポーティングトリガの検出（例えば、ＵＥにおいて異常を感知すること）に基づいて開始される即座の送信を含む。【選択図】図４
2019009787.tif 000002
【特許請求の範囲】
【請求項１】
ユーザ機器（ＵＥ）におけるワイヤレス通信の方法であって、
基地局から、定期的にスケジュールされた送信のために第１の物理ランダムアクセスチャネル（ＰＲＡＣＨ）信号を送るための第１のリソースの割り振りを受信することと、ここにおいて、前記第１のリソースの割り振りは、時間または周波数リソースのうちの少なくとも１つを含む、
前記定期的にスケジュールされた送信のための第１のレポーティングトリガを検出することと、
前記レポーティングトリガを検出することに応答して、前記第１のＰＲＡＣＨ信号を前記第１のリソースの割り振りを通して前記基地局に送信することと
を備える、方法。
【請求項２】
前記基地局に関連付けられたパスロス情報を決定することと、
前記第１のＰＲＡＣＨ信号中で前記パスロス情報を前記基地局にレポートすることと  をさらに備える、請求項１に記載の方法。
【請求項３】
前記パスロス情報は、前記基地局からダウンリンク信号を受信し、前記ダウンリンク信号の強度を測定することによって決定される、請求項２に記載の方法。
【請求項４】
前記基地局から、オンデマンド送信のために第２のＰＲＡＣＨ信号を送るための第２のリソースの割り振りを受信することと、
前記オンデマンド送信のための第２のレポーティングトリガを検出することと、
前記検出することに基づいて、前記第２のＰＲＡＣＨ信号を前記基地局に送信することと、前記第２のＰＲＡＣＨ信号は、前記第１のリソースの割り振りまたは前記第２のリソースの割り振りを通して送信される、
をさらに備える、請求項１に記載の方法。
【請求項５】
前記オンデマンド送信は、前記定期的にスケジュールされた送信より高い優先度を割り当てられる、請求項４に記載の方法。
【請求項６】
前記第１および第２のリソースの割り振りは、重複しない、請求項４に記載の方法。
【請求項７】
前記第１のリソースの割り振りは、前記第２のリソースの割り振りのサブセットである、請求項４に記載の方法。
【請求項８】
前記基地局からアクセスレベル情報を受信することと、前記アクセスレベル情報は、前記定期的にスケジュールされた送信および前記オンデマンド送信に関連付けられる、
前記第１のＰＲＡＣＨ信号または前記第２のＰＲＡＣＨ信号のうちの少なくとも１つについてのアクセス優先度が前記アクセスレベル情報を上回るどうかを決定することと、  前記決定することに基づいて、前記第１のＰＲＡＣＨ信号または前記第２のＰＲＡＣＨ信号を送信することと
をさらに備える、請求項４に記載の方法。
【請求項９】
前記アクセスレベル情報は、前記第１のリソースの割り振りおよび前記第２のリソースの割り振りの負荷ファクタに基づく、請求項８に記載の方法。
【請求項１０】
前記第１のＰＲＡＣＨ信号に応答して、前記基地局からＰＲＡＣＨ応答を受信することと、
前記ＰＲＡＣＨ応答に部分的に基づいて、前記ＵＥに対するアクティブ識別情報（ＩＤ）を決定することと
をさらに備える、請求項１に記載の方法。
【請求項１１】
物理ダウンリンク共有チャネル（ＰＤＳＣＨ）および物理アップリンク共有チャネル（ＰＵＳＣＨ）割り当てのために前記アクティブＩＤを使用することをさらに備える、請求項１０に記載の方法。
【請求項１２】
前記第１のリソースの割り振りまたは前記第２のリソースの割り振りのうちの少なくとも１つを使用して、前記第１のＰＲＡＣＨ信号中でＰＵＳＣＨに対する要求を送信することをさらに備える、請求項１に記載の方法。
【請求項１３】
マシンタイプ通信（ＭＴＣ）プロシージャに基づいて、データをネットワークと交換することをさらに備える、請求項１に記載の方法。
【請求項１４】
ユーザ機器（ＵＥ）におけるワイヤレス通信のための装置であって、
基地局から、定期的にスケジュールされた送信のために第１の物理ランダムアクセスチャネル（ＰＲＡＣＨ）信号を送るための第１のリソースの割り振りを受信するための手段と、ここにおいて、前記第１のリソースの割り振りは、時間または周波数リソースのうちの少なくとも１つを含む、
前記定期的にスケジュールされた送信のための第１のレポーティングトリガを検出するための手段と、
前記レポーティングトリガを検出することに応答して、前記第１のＰＲＡＣＨ信号を前記第１のリソースの割り振りを通して前記基地局に送信するための手段と
を備える、装置。
【請求項１５】
前記基地局に関連付けられたパスロス情報を決定するための手段と、
前記第１のＰＲＡＣＨ信号中で前記パスロス情報を前記基地局にレポートするための手段と
をさらに備える、請求項１４に記載の装置。
【請求項１６】
前記パスロス情報は、前記基地局からダウンリンク信号を受信し、前記ダウンリンク信号の強度を測定することによって決定される、請求項１５に記載の装置。
【請求項１７】
前記基地局から、オンデマンド送信のために第２のＰＲＡＣＨ信号を送るための第２のリソースの割り振りを受信するための手段と、
前記オンデマンド送信のための第２のレポーティングトリガを検出するための手段と、  前記検出することに基づいて、前記第２のＰＲＡＣＨ信号を前記基地局に送信するための手段と、前記第２のＰＲＡＣＨ信号は、前記第１のリソースの割り振りまたは前記第２のリソースの割り振りを通して送信される、
をさらに備える、請求項１４に記載の装置。
【請求項１８】
前記オンデマンド送信は、前記定期的にスケジュールされた送信より高い優先度を割り当てられる、請求項１７に記載の装置。
【請求項１９】
前記第１および第２のリソースの割り振りは、重複できない、請求項１７に記載の装置。
【請求項２０】
前記第１のリソースの割り振りは、前記第２のリソースの割り振りのサブセットである、請求項１７に記載の装置。
【請求項２１】
前記基地局からアクセスレベル情報を受信するための手段と、前記アクセスレベル情報は、前記定期的にスケジュールされた送信および前記オンデマンド送信に関連付けられる、
前記第１のＰＲＡＣＨ信号または前記第２のＰＲＡＣＨ信号のうちの少なくとも１つについてのアクセス優先度が前記アクセスレベル情報を上回るどうかを決定するための手段と、
前記決定することに基づいて、前記第１のＰＲＡＣＨ信号または前記第２のＰＲＡＣＨ信号を送信するための手段と
をさらに備える、請求項１７に記載の装置。
【請求項２２】
ユーザ機器（ＵＥ）におけるワイヤレス通信のための装置であって、
プロセッサと、
前記プロセッサと電子通信状態にあるメモリと、
前記メモリ中に記憶された命令と
を備え、前記命令は、
基地局から、定期的にスケジュールされた送信のために第１の物理ランダムアクセスチャネル（ＰＲＡＣＨ）信号を送るための第１のリソースの割り振りを受信することと、ここにおいて、前記第１のリソースの割り振りは、時間または周波数リソースのうちの少なくとも１つを含む、
前記定期的にスケジュールされた送信のための第１のレポーティングトリガを検出することと、
前記レポーティングトリガを検出することに応答して、前記第１のＰＲＡＣＨ信号を前記第１のリソースの割り振りを通して前記基地局に送信することと
を行うように前記プロセッサによって実行可能である、装置。
【請求項２３】
前記命令は、
前記基地局に関連付けられたパスロス情報を決定することと、
前記第１のＰＲＡＣＨ信号中で前記パスロス情報を前記基地局にレポートすることと  を行うように前記プロセッサによって実行可能である、請求項２２に記載の装置。
【請求項２４】
前記パスロス情報は、前記基地局からダウンリンク信号を受信し、前記ダウンリンク信号の強度を測定することによって決定される、請求項２３に記載の装置。
【請求項２５】
前記命令は、
前記基地局から、オンデマンド送信のために第２のＰＲＡＣＨ信号を送るための第２のリソースの割り振りを受信することと、
前記オンデマンド送信のための第２のレポーティングトリガを検出することと、
前記検出することに基づいて、前記第２のＰＲＡＣＨ信号を前記基地局に送信することと、前記第２のＰＲＡＣＨ信号は、前記第１のリソースの割り振りまたは前記第２のリソースの割り振りを通して送信される、
を行うように前記プロセッサによって実行可能である、請求項２２に記載の装置。
【請求項２６】
前記オンデマンド送信は、前記定期的にスケジュールされた送信より高い優先度を割り当てられる、請求項２５に記載の装置。
【請求項２７】
前記第１および第２のリソースの割り振りは、重複しない、請求項２５に記載の装置。
【請求項２８】
前記第１のリソースの割り振りは、前記第２のリソースの割り振りのサブセットである、請求項２５に記載の装置。
【請求項２９】
前記命令は、
前記基地局からアクセスレベル情報を受信することと、前記アクセスレベル情報は、前記定期的にスケジュールされた送信および前記オンデマンド送信に関連付けられる、
前記第１のＰＲＡＣＨ信号または前記第２のＰＲＡＣＨ信号のうちの少なくとも１つについてのアクセス優先度が前記アクセスレベル情報を上回るどうかを決定することと、  前記決定することに基づいて、前記第１のＰＲＡＣＨ信号または前記第２のＰＲＡＣＨ信号を送信することと
を行うように前記プロセッサによって実行可能である、請求項２５に記載の装置。
【請求項３０】
ユーザ機器（ＵＥ）におけるワイヤレス通信のためのコードを記憶する非一時的コンピュータ可読媒体であって、前記コードは、
基地局から、定期的にスケジュールされた送信のために第１の物理ランダムアクセスチャネル（ＰＲＡＣＨ）信号を送るための第１のリソースの割り振りを受信することと、ここにおいて、前記第１のリソースの割り振りは、時間または周波数リソースのうちの少なくとも１つを含む、
前記定期的にスケジュールされた送信のための第１のレポーティングトリガを検出することと、
前記レポーティングトリガを検出することに応答して、前記第１のＰＲＡＣＨ信号を前記第１のリソースの割り振りを通して前記基地局に送信することと
を行うように実行可能である命令を備える、非一時的コンピュータ可読媒体。
【発明の詳細な説明】
【関連出願の相互参照】
【０００１】
[0001]本特許出願は、２０１４年１０月９日に出願され、本願の譲受人に譲渡された「Random Access Procedure in a Cellular Internet of Things System」と題されたLi他による米国特許出願第１４／５１１，０２１号の優先権を主張する。
【技術分野】
【０００２】
[0002]本開示は、ワイヤレス通信システムに関し、より具体的には、セルラインターネットオブシングス（ＩｏＴ）システム（cellular Internet of Things (IoT) system）中でのランダムアクセスプロシージャのためのリソース割り振りを管理することに関する。
【背景技術】
【０００３】
[0003]ワイヤレス通信システムは、音声、映像、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例として、ワイヤレス多元接続通信システムは、いくつかの基地局を含みえ、各々が、別名ユーザ機器（ＵＥ）として知られている複数の通信デバイスのための通信を同時にサポートする。基地局は、（例えば、基地局からＵＥへの送信のために）ダウンリンクチャネルおよび（例えば、ＵＥから基地局への送信のために）アップリンクチャネル上でＵＥと通信しうる。
【０００５】
[0005]ＵＥの中には自動化された通信を提供するものがありうる。自動化されたＵＥは、マシンツーマシン（Ｍ２Ｍ）通信またはマシンタイプ通信（ＭＴＣ）をインプリメントするものを含みうる。Ｍ２ＭまたはＭＴＣは、デバイスが、人間の介在なしに互いまたは基地局と通信することを可能にするデータ通信技術を指しうる。Ｍ２ＭまたはＭＴＣデバイスは、ＵＥを含み、インターネットオブシングス（ＩｏＴ）の一部として使用されうる。ＩｏＴ中のＭ２ＭまたはＭＴＣデバイスの中には、パーキングメータ、水道およびガスメータ、および少量のデータをまれに通信しうる他のセンサを含むものがありうる。
【０００６】
[0006]したがって、ＩｏＴネットワーク中のＭ２ＭまたはＭＴＣデバイスの通信要件は、非ＩｏＴデバイス（例えば、携帯電話）によって典型的に必要とされるものより著しく低いことがありうる。例えば、絶えず動きうる非ＩｏＴデバイス（例えば、携帯電話）は、その音声およびデータ通信中の低いレイテンシをサポートするために、高いデータレートを必要としうる。その結果として、既存のセルラシステムおよびプロトコルがＩｏＴデバイスに対して使用されると、ＩｏＴデバイスは、不必要且つ望ましくさえない通信要件およびオーバヘッドの影響を受けえ、ＩｏＴデバイスの過度の電力消耗をもたらす。
【発明の概要】
【０００７】
[0007]ＩｏＴシステム中でのランダムアクセスプロシージャのためのリソース割り振りを管理するためのシステム、方法、および装置が説明される。本開示にしたがって、基地局は、ＵＥに、物理ランダムアクセスチャネル（ＰＲＡＣＨ）信号を送信するための時間および／または周波数リソースを割り振りうる。いくつかの例では、リソース割り振りは、ＰＲＡＣＨ信号のタイプおよびクラスに基づいて振り分けられうる。例えば、ＵＥは、定期的にスケジュールされたトラフィックを送信するために第１のリソースのサブセットを、およびオンデマンドトラフィックを送信するために第２のリソースのサブセットを、割り当てられうる。定期的にスケジュールされたトラフィックは、例えば、所定の時間間隔（例えば、２４時間間隔）で基地局にレポートされるセンサ測定値を含みうる。対照的に、オンデマンドトラフィックは、少なくとも１つのレポーティングトリガの検出（例えば、ＵＥにおいて異常を感知すること）に基づいて開始される即座の（impromptu）送信を含みうる。
【０００８】
[0008]加えてまたは代替として、本開示はまた、ＰＲＡＣＨ信号中でパスロス情報を基地局にレポートすることに関しうる。いくつかの例では、パスロス情報は、基地局からダウンリンク信号を受信し、ダウンリンク信号の強度を測定することによって決定されうる。
【０００９】
[0009]ＵＥにおけるワイヤレス通信の方法が説明される。その方法は、基地局から、定期的にスケジュールされた送信のために第１のＰＲＡＣＨ信号を送るための第１のリソースの割り振りを受信することと、ここにおいて、第１のリソースの割り振りは、時間または周波数リソースのうちの少なくとも１つを含み、定期的にスケジュールされた送信のための第１のレポーティングトリガを検出することと、レポーティングトリガを検出することに応答して、第１のＰＲＡＣＨ信号を第１のリソースの割り振りを通して基地局に送信することとを含みうる。
【００１０】
[0010]ＵＥにおけるワイヤレス通信のための装置が説明される。その装置は、基地局から、定期的にスケジュールされた送信のために第１のＰＲＡＣＨ信号を送るための第１のリソースの割り振りを受信するための手段と、ここにおいて、第１のリソースの割り振りは、時間または周波数リソースのうちの少なくとも１つを含み、定期的にスケジュールされた送信のための第１のレポーティングトリガを検出するための手段と、レポーティングトリガを検出することに応答して、第１のＰＲＡＣＨ信号を第１のリソースの割り振りを通して基地局に送信するための手段とを含みうる。
【００１１】
[0011]ＵＥにおけるワイヤレス通信のためのさらなる装置が説明される。その装置は、プロセッサと、プロセッサと電子通信状態にあるメモリと、メモリ中に記憶された命令とを含みえ、命令は、基地局から、定期的にスケジュールされた送信のために第１のＰＲＡＣＨ信号を送るための第１のリソースの割り振りを受信することと、ここにおいて、第１のリソースの割り振りは、時間または周波数リソースのうちの少なくとも１つを含み、定期的にスケジュールされた送信のための第１のレポーティングトリガを検出することと、レポーティングトリガを検出することに応答して、第１のＰＲＡＣＨ信号を第１のリソースの割り振りを通して基地局に送信することとを行うようにプロセッサによって実行可能である。
【００１２】
[0012]ＵＥにおけるワイヤレス通信のためのコードを記憶する非一時的コンピュータ可読媒体が説明される。そのコードは、基地局から、定期的にスケジュールされた送信のために第１のＰＲＡＣＨ信号を送るための第１のリソースの割り振りを受信することと、ここにおいて、第１のリソースの割り振りは、時間または周波数リソースのうちの少なくとも１つを含み、定期的にスケジュールされた送信のための第１のレポーティングトリガを検出することと、レポーティングトリガを検出することに応答して、第１のＰＲＡＣＨ信号を第１のリソースの割り振りを通して基地局に送信することとを行うように実行可能である命令を含みうる。
【００１３】
[0013]上述された方法、装置、または非一時的コンピュータ可読媒体のいくつかの例はさらに、基地局に関連付けられたパスロス情報を決定することと、第１のＰＲＡＣＨ信号中でパスロス情報を基地局にレポートすることとを含みうる。加えてまたは代替として、いくつかの例では、パスロス情報は、基地局からダウンリンク信号を受信し、ダウンリンク信号の強度を測定することによって決定される。
【００１４】
[0014]上述された方法、装置、または非一時的コンピュータ可読媒体のいくつかの例はさらに、基地局から、オンデマンド送信のために第２のＰＲＡＣＨ信号を送るための第２のリソースの割り振りを受信することと、オンデマンド送信のための第２のレポーティングトリガを検出することと、検出することに基づいて、第２のＰＲＡＣＨ信号を基地局に送信することとを含みえ、第２のＰＲＡＣＨ信号は、第１のリソースの割り振りまたは第２のリソースの割り振りを通して送信される。加えてまたは代替として、いくつかの例では、オンデマンド送信は、定期的にスケジュールされた送信より高い優先度を割り当てられる。
【００１５】
[0015]上述された方法、装置、または非一時的コンピュータ可読媒体のいくつかの例では、第１および第２のリソースの割り振りは、重複しない。加えてまたは代替として、いくつかの例では、第１のリソースの割り振りは、第２のリソースの割り振りのサブセットである。
【００１６】
[0016]上述された方法、装置、または非一時的コンピュータ可読媒体のいくつかの例はさらに、基地局からアクセスレベル情報を受信することと、アクセスレベル情報は、定期的にスケジュールされた送信およびオンデマンド送信に関連付けられ、第１のＰＲＡＣＨ信号または第２のＰＲＡＣＨ信号のうちの少なくとも１つについてのアクセス優先度がアクセスレベル情報を上回るどうかを決定することと、決定することに基づいて、第１のＰＲＡＣＨ信号または第２のＰＲＡＣＨ信号を送信することとを含みうる。加えてまたは代替として、いくつかの例では、アクセスレベル情報は、第１のリソースの割り振りおよび第２のリソースの割り振りの負荷ファクタ（loading factor）に基づく。
【００１７】
[0017]上述された方法、装置、または非一時的コンピュータ可読媒体のいくつかの例はさらに、第１のＰＲＡＣＨ信号に応答して、基地局からＰＲＡＣＨ応答を受信することと、ＰＲＡＣＨ応答に部分的に基づいて、ＵＥに対するアクティブＩＤを決定することとを含みうる。加えてまたは代替として、いくつかの例は、物理ダウンリンク共有チャネル（ＰＤＳＣＨ）およびＰＵＳＣＨ割り当てのためにアクティブＩＤを使用することを含みうる。
【００１８】
[0018]上述された方法、装置、または非一時的コンピュータ可読媒体のいくつかの例はさらに、第１のリソースの割り振りまたは第２のリソースの割り振りのうちの少なくとも１つを使用して、第１のＰＲＡＣＨ信号中でＰＵＳＣＨに対する要求を送信することを含みうる。加えてまたは代替として、いくつかの例は、マシンタイプ通信（ＭＴＣ）プロシージャに基づいて、データをネットワークと交換することを含みうる。
【００１９】
[0019]前述は、以下の詳細な説明がより良く理解されうるように、本開示にしたがった例の特徴および技術的利点をどちらかといえば広く概説している。追加の特徴および利点が以下に説明されることになる。開示される概念および特定の例は、本開示と同じ目的を実行するための他の構造を修正または設計するための基礎として容易に利用されうる。そのような等価な構造は、添付された特許請求の範囲の範囲から逸脱しない。本明細書で開示される概念の特性は、関連する利点とともに、それらの編成および動作の方法の両方に関して、添付の図に関連して検討されたときに以下の説明からより良く理解されるであろう。図の各々は、例示および説明のみを目的として提供され、特許請求の範囲の限定の定義としては提供されない。
【００２０】
[0020]本発明の性質および利点のさらなる理解が、以下の図面を参照することによって実現されうる。添付された図では、同様のコンポーネントまたは特徴は、同じ参照ラベルを有しうる。さらに、同じタイプの様々なコンポーネントは、参照ラベルに、ダッシュと、同様のコンポーネント間を区別する第２のラベルとを後続させることによって区別されうる。本明細書中で第１の参照ラベルのみが使用される場合、その説明は、第２の参照ラベルに関係なく同じ第１の参照ラベルを有する同様のコンポーネントのうちのいずれの１つにも適用可能である。
【図面の簡単な説明】
【００２１】
【図１】本開示の様々な態様にしたがって、ワイヤレス通信システムのブロック図を示す。
【図２】セルラＩｏＴワイヤレスシステム中でのランダムアクセスプロシージャのためのリソース割り振りを管理することの例を例示する。
【図３】セルラＩｏＴワイヤレスシステム中でのランダムアクセスプロシージャのためのリソース割り振りを管理するためのフレーム構造の例を例示する。
【図４】セルラＩｏＴワイヤレスシステム中でのランダムアクセスプロシージャのためのリソース割り振りを管理するための、基地局とＵＥとの間での通信図を例示する。
【図５】本開示の様々な態様にしたがって、ワイヤレス通信で使用するために構成されたデバイスのブロック図を示す。
【図６】本開示の様々な態様にしたがって、ワイヤレス通信で使用するために構成されたデバイスのブロック図を示す。
【図７】本開示の様々な態様にしたがって、セルラインターネットオブシングスシステム中でのランダムアクセスプロシージャのために構成された通信管理モジュールのブロック図を示す。
【図８】本開示の様々な態様にしたがって、セルラインターネットオブシングスシステム中でのランダムアクセスプロシージャのために構成されたＵＥを含むシステムのブロック図を例示する。
【図９】本開示の様々な態様にしたがって、セルラインターネットオブシングスシステム中でのランダムアクセスプロシージャのための方法を例示するフローチャートを示す。
【図１０】本開示の様々な態様にしたがって、セルラインターネットオブシングスシステム中でのランダムアクセスプロシージャのための方法を例示するフローチャートを示す。
【図１１】本開示の様々な態様にしたがって、セルラインターネットオブシングスシステム中でのランダムアクセスプロシージャのための方法を例示するフローチャートを示す。
【図１２】本開示の様々な態様にしたがって、セルラインターネットオブシングスシステム中でのランダムアクセスプロシージャのための方法を例示するフローチャートを示す。
【図１３】本開示の様々な態様にしたがって、セルラインターネットオブシングスシステム中でのランダムアクセスプロシージャのための方法を例示するフローチャートを示す。
【図１４】本開示の様々な態様にしたがって、セルラインターネットオブシングスシステム中でのランダムアクセスプロシージャのための方法を例示するフローチャートを示す。
【詳細な説明】
【００２２】
[0035]上述されたように、ＩｏＴネットワーク中のＭ２ＭまたはＭＴＣデバイスは概して、非ＩｏＴデバイスによって典型的に必要とされるものより著しく低い通信リソースを必要とする。例えば、ＩｏＴネットワーク中のＵＥは、定期的にスケジュールされた間隔で少量のデータをまれに送信するように構成されうる。一例では、ＵＥは、２４時間に１回の時間間隔で少なくとも１つのセンサ測定値をレポートするように命令されうる。断続的に、ＵＥはまた、ＵＥが少なくとも１つのオンデマンドレポーティングトリガを検出した場合に（例えば、ＵＥが異常を感知した場合に）、即座のトラフィックを送信しうる。結果として、電力リソース（すなわち、バッテリ）が限定されうるＵＥにとって、そのような最小送信期間中に、不必要にリソース（例えば、送信媒体）を占有する、またはリソースについて競合することは、反直観的（counterintuitive）でありうる。
【００２３】
[0036]本開示にしたがって、基地局は、ネットワーク上で送信するためのある特定の時間または周波数リソースをＵＥに割り振りうる。リソース割り振りは、送信のためにスケジュールされたトラフィックのタイプおよびクラスに基づきうる。いくつかの例では、トラフィックのタイプおよびクラスは、定期的にスケジュールされた送信またはオンデマンド送信に関連付けられうる。それ故に、ＩｏＴネットワーク中のＵＥは、ＰＲＡＣＨ信号のタイプおよびクラス（すなわち、定期的にスケジュールされたＰＲＡＣＨ信号またはオンデマンドＰＲＡＣＨ信号）に基づいて、ＰＲＡＣＨ信号を送信するための割り振られたリソースを利用しうる。
【００２４】
[0037]加えてまたは代替として、基地局は、アクセスレベル情報をＵＥに送信しえ、ここで、アクセスレベル情報は、定期的にスケジュールされたクラスのトラフィックおよびオンデマンドクラスのトラフィックの各々についての優先度レベルを識別する。その結果として、アクセスレベル情報は、異なるタイプのクラス間でのリソース競合を緩和しうる。一例では、オンデマンドクラスは、定期的にスケジュールされたクラスより高い優先度を割り当てられうる。このことから、定期的にスケジュールされたクラスのトラフィックおよびオンデマンドクラスのトラフィックの送信間でのリソースの潜在的な競合中に、ＵＥは、アクセスレベル情報によって識別された優先度レベルに基づいて、オンデマンドトラフィックを優先（favor）しうる。他の例では、定期的にスケジュールされたクラスのトラフィックは、オンデマンドクラスより高い優先度を割り当てられうる。
【００２５】
[0038]本開示のまたさらなる例では、ＩｏＴ中のＵＥは、基地局に関連付けられたパスロス情報を決定しうる。いくつかの例では、パスロス情報は、基地局からダウンリンク信号を受信し、ダウンリンク信号の強度を測定することによって決定されうる。それ故に、基地局と同期するために、ＵＥは、ＰＲＡＣＨ信号中でパスロス情報を基地局に送信しうる。いくつかの例では、基地局は、ダウンリンク電力を決定し、ダウンリンク制御およびトラフィックチャネル（例えば、物理ダウンリンク制御チャネル（ＰＤＣＣＨ）および物理ダウンリンク共有チャネル（ＰＤＳＣＨ））のためのリソースを管理するために、パスロス情報を利用しうる。
【００２６】
[0039]他のケースでは、ＩｏＴデバイスと基地局との間での通信は、送信シンボル時間を決定するために開ループタイミング同期を使用することによって改善されうる。結果として、ＩｏＴネットワーク中の同じ基地局と通信している異なるＩｏＴデバイスからのアップリンク信号は、ある時間のウィンドウ内に到達しえ、その長さは最大で、ＩｏＴデバイスと基地局との間での最大ラウンドトリップ遅延でありうる。これを考慮して（To account for this）、ＩｏＴデバイスによるアップリンク送信中で使用されるサイクリックプリフィックスの長さは、拡張されえ、その一方で、ＩｏＴデバイスへのダウンリンク送信中で使用されるサイクリックプリフィックスの長さは、拡張されたアップリンクサイクリックプリフィックスより短いままでありうる。
【００２７】
[0040]いくつかの例では、デバイスは、ダウンリンクメッセージを復調するために直交周波数分割多元接続（ＯＦＤＭＡ）を、およびアップリンク変調のためにガウス最小偏移変調（ＧＭＳＫ：Gaussian minimum shift keying）とシングルキャリア周波数分割多元接続（ＳＣ−ＦＤＭＡ）との組み合わせを、利用しうる。アップリンク変調処理は、Ｍ点離散フーリエ変換（ＤＦＴ）でシンボルベクトルを生成することと、周波数ドメインガウスフィルタでシンボルベクトルをフィルタリングすることと、逆ＤＦＴを利用して、フィルタリングされたシンボルベクトルからサンプルベクトルを生成することと、ＧＭＳＫを利用してサンプルベクトルを変調することとを含みうる。いくつかのケースでは、アップリンク変調は、基地局から受信される狭帯域リソース割り振りに基づきうる。
【００２８】
[0041]いくつかの例では、デバイスは、前もってＵＥに知られ、ローカル領域中のセルのグループに共通している波形を使用してセルと同期しうる。デバイスはその後、物理ブロードキャストチャネル（ＰＢＣＨ）時間を決定しうる。デバイスは、ＰＢＣＨを受信し、アップリンク送信のための周波数およびセルに対する物理レイヤＩＤを決定するために、それを使用しうる。ＰＢＣＨはまた、チャネル構成を示しえ、それは、デバイスが、ランダムアクセスプロシージャを遂行することを可能にしうる。チャネル構成は、共有トラフィックチャネルの時間および周波数リソース構成を含みうる。いくつかのケースでは、デバイスは、制御チャネル送信のインデックスに基づいて、データ送信のためのリソースを決定しうる。いくつかのケースでは、制御チャネル送信とデータチャネル送信との間で所定の遅延が存在しうる。デバイスはその後、遅延中に低電力状態に入りうる。
【００２９】
[0042]いくつかの例では、デバイスは、サービングセルとの接続を確立するために、初期アクセスプロシージャを遂行しうる。デバイスはその後、不連続送信（ＤＴＸ）サイクルを含むサービングセルとの定期的な送信スケジュールおよび肯定応答スケジュールを取り決めうる（arrange）。デバイスは、低電力モードに入り、ＤＴＸサイクルのスリープ間隔中でのいかなる送信も控えうる。デバイスはその後、別のアクセスプロシージャを遂行することなしに、スリープ間隔後に、ウェイクアップ（wake up）し、メッセージをサービングセルに送信しうる。デバイスは、定期的な送信スケジュールによってカバーされていない時間において送信するために、別のアクセスプロシージャを遂行しうる。例えば、メッセージに対する肯定応答（ＡＣＫ）が受信されない場合、デバイスは、再送信のために、別のアクセスプロシージャを遂行しうる。
【００３０】
[0043]さらなる別の例では、ＩｏＴデバイスは、後続の第２の通信セッションのための電力およびタイミング制御情報を決定するために、基地局との第１の通信セッションからの記憶された制御情報を使用しうる。具体的には、この例では、デバイスは、基地局との第１の通信セッションを確立し、第１の通信セッション中に、アップリンク送信に関連付けられた送信信号シンボルタイミングおよび／または電力制御レベルを調整する際にデバイスを援助するために、基地局から閉ループ制御情報を受信しうる。そのような事例では、デバイスは、そのメモリ中に、第１の通信セッション中に閉ループ制御情報から導出される送信電力およびシンボルタイミング情報を記憶しうる。後に、デバイスは、基地局との第２の通信セッションを確立するための送信信号電力および／またはシンボルタイミングを決定するために、第１の通信セッションからの記憶された閉ループ制御情報を利用しうる。
【００３１】
[0044]以下の説明は、例を提供しており、特許請求の範囲に記載されている範囲、適用可能性、または例を限定してはいない。本開示の範囲から逸脱することなしに、論述される要素の機能および配置に変更がなされうる。様々な例は、適宜、様々なプロシージャまたはコンポーネントを省略、代用、あるいは追加しうる。例えば、説明される方法は、説明されるものとは異なる順序で遂行されえ、様々なステップが追加、省略、または組み合わされうる。また、いくつかの例に関して説明される特徴は、他の例中で組み合されうる。
【００３２】
[0045]図１は、本開示の様々な態様にしたがって、ワイヤレス通信システム１００の例を例示する。ワイヤレス通信システム１００は、基地局１０５、ＵＥ１１５、およびコアネットワーク１３０を含む。コアネットワーク１３０は、ユーザ認証、アクセス認証、追跡、インターネットプロトコル（ＩＰ）接続性、および他のアクセス、ルーティング、またはモビリティ機能を提供しうる。基地局１０５は、バックホールリンク１３２（例えば、Ｓ１、等）を通じてコアネットワーク１３０とインターフェースし、ＵＥ１１５との通信のためのスケジューリングおよび無線構成を遂行しうるか、または基地局コントローラ（図示せず）の制御下で動作しうる。様々な例では、基地局１０５は、直接的にまたは間接的に（例えば、コアネットワーク１３０を通じて）のいずれかで、バックホールリンク１３４（例えば、Ｘ１、等）を通して互いと通信しえ、それは、ワイヤードまたはワイヤレス通信リンクでありうる。
【００３３】
[0046]基地局１０５は、１つまたは複数の基地局アンテナを介してＵＥ１１５とワイヤレスで通信しうる。基地局１０５のサイトの各々は、通信カバレッジをそれぞれの地理的カバレッジエリア１１０に提供しうる。本開示にしたがって、「カバレッジエリア」および「セル」という用語は、地理的カバレッジエリア１１０を指すように、交換可能に使用されうる。いくつかの例では、基地局１０５は、ベーストランシーバ局、無線基地局、アクセスポイント、無線トランシーバ、ノードＢ、ｅノードＢ（ｅＮＢ）、ホームノードＢ、ホームｅノードＢ、または何らかの他の適した専門用語で呼ばれうる。基地局１０５のための地理的カバレッジエリア１１０は、カバレッジエリアの一部のみを構成するセクタに分割されうる（図示せず）。ワイヤレス通信システム１００は、異なるタイプの基地局１０５（例えば、マクロおよび／またはスモールセル基地局）を含みうる。異なる技術のために重複している地理的カバレッジエリア１１０が存在しうる。
【００３４】
[0047]いくつかの例では、ワイヤレス通信システム１００は、ＬＴＥ（登録商標）／ＬＴＥ−Ａネットワークでありうるか、またはそれを含みうる。ＬＴＥ／ＬＴＥ−Ａネットワークでは、発展型ノードＢ（ｅＮＢ）という用語は概して、基地局１０５を説明するために使用されえ、その一方で、ＵＥという用語は概して、ＵＥ１１５を説明するために使用されうる。ワイヤレス通信システム１００は、異なるタイプのｅＮＢがカバレッジを様々な地理的領域に提供する異種ＬＴＥ／ＬＴＥ−Ａネットワークでありうる。例えば、各ｅＮＢまたは基地局１０５は、通信カバレッジをマクロセル、スモールセル、および／または他のタイプのセルに提供しうる。「セル」という用語は、コンテキストに依存して、基地局、基地局に関連付けられたキャリアまたはコンポーネントキャリア、あるいはキャリアまたは基地局のカバレッジエリア（例えば、セクタ、等）を説明するために使用されることができる３ＧＰＰ（登録商標）の用語である。
【００３５】
[0048]マクロセルは概して、比較的大きい地理的エリア（例えば、半径数キロメートル）をカバーし、ネットワークプロバイダにサービス加入しているＵＥによる無制限のアクセスを可能にしうる。スモールセルは、マクロセルと比較すると、マクロセルと同じまたは異なる（例えば、認可された、認可されていない、等の）周波数帯域中で動作しうる低電力基地局である。スモールセルは、様々な例にしたがったピコセル、フェムトセル、およびマイクロセルを含みうる。ピコセルは、比較的より小さい地理的エリアをカバーし、ネットワークプロバイダにサービス加入しているＵＥによる無制限のアクセスを可能にしうる。フェムトセルもまた、比較的小さい地理的エリア（例えば、家）をカバーし、フェムトセルとの関連付けを有するＵＥ（例えば、クローズド加入者グループ（ＣＳＧ）中のＵＥ、家の中にいるユーザのためのＵＥ、等）による制限されたアクセスを提供しうる。マクロセルに対するｅＮＢは、マクロｅＮＢと呼ばれうる。スモールセルに対するｅＮＢは、スモールセルｅＮＢ、ピコｅＮＢ、フェムトｅＮＢまたはホームｅＮＢと呼ばれうる。ｅＮＢは、１つまたは複数（例えば、２つ、３つ、４つ、等）のセル（例えば、コンポーネントキャリア）をサポートしうる。
【００３６】
[0049]ワイヤレス通信システム１００は、同期または非同期動作をサポートしうる。同期動作の場合、基地局は、同様のフレームタイミングを有し、異なる基地局からの送信は、時間で大まかにアラインされうる（approximately aligned in time）。非同期動作の場合、基地局は、異なるフレームタイミングを有し、異なる基地局からの送信は、時間でアラインされないことがありうる。本明細書で説明される技法は、同期または非同期動作のいずれかに対して使用されうる。
【００３７】
[0050]様々な開示される例のうちのいくつかを含みうる（accommodate）通信ネットワークは、レイヤードプロトコルスタックにしたがって動作するパケットベースのネットワークでありうる。ユーザプレーンでは、ベアラまたはパケットデータコンバージェンスプロトコル（ＰＤＣＰ）レイヤにおける通信は、ＩＰベースでありうる。無線リンク制御（ＲＬＣ）レイヤは、論理チャネルを通して通信するために、パケットセグメンテーションおよびリアセンブリを遂行しうる。媒体アクセス制御（ＭＡＣ）レイヤは、優先度処理（priority handling）および論理チャネルのトランスポートチャネルへの多重化を遂行しうる。ＭＡＣレイヤはまた、リンク効率を改善するために、ＭＡＣレイヤにおいて再送信を提供するハイブリッドＡＲＱ（ＨＡＲＱ）を使用しうる。制御プレーンでは、無線リソース制御（ＲＲＣ）プロトコルレイヤは、ユーザプレーンデータのための無線ベアラをサポートする、ＵＥ１１５と基地局１０５またはコアネットワーク１３０との間でのＲＲＣ接続の確立、構成、および維持を提供しうる。物理（ＰＨＹ）レイヤにおいて、トランスポートチャネルは、物理チャネルにマッピングされうる。
【００３８】
[0051]ＵＥ１１５は、ワイヤレス通信システム１００全体にわたって分散されており、各ＵＥ１１５は、固定式または移動式でありうる。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語を含みうるか、または当業者によってそれらで呼ばれうる。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、等でありうる。ＵＥは、マクロｅＮＢ、スモールセルｅＮＢ、中継基地局、等を含む様々なタイプの基地局およびネットワーク機器と通信することが可能でありうる。
【００３９】
[0052]ワイヤレス通信システム１００では、いくつかのＵＥは、自動化された通信を提供しうる。自動化されたワイヤレスデバイスは、Ｍ２Ｍ通信またはＭＴＣをインプリメントするものを含みうる。Ｍ２ＭまたはＭＴＣは、デバイスが、人間の介在なしに互いまたは基地局と通信することを可能にするデータ通信技術を指しうる。例えば、Ｍ２ＭまたはＭＴＣは、情報を測定またはキャプチャするためのセンサまたはメータを統合し、その情報を使用すること、またはプログラムまたはアプリケーションと相互作用している人間にその情報を提示することができるアプリケーションプログラムまたは中央サーバにその情報を中継するデバイスからの通信を指しうる。いくつかのＵＥ１１５は、情報を収集するか、または機械の自動化された挙動を可能にするように設計されたもののようなＭＴＣデバイスでありうる。ＭＴＣデバイスのためのアプリケーションの例は、スマート計測、在庫（inventory）モニタリング、水位モニタリング、機器モニタリング、ヘルスケアモニタリング、野生生物モニタリング、天候および地質学的イベントモニタリング、保有車両（fleet）管理および追跡、遠隔セキュリティ感知、物理アクセス制御、および取引ベースのビジネス課金（transaction-based business charging）を含む。ＭＴＣデバイスは、低減されたピークレートでの半二重（一方向）通信を使用して動作しうる。ＭＴＣデバイスはまた、アクティブな通信に従事していないときに節電「ディープスリープ」モードに入るように構成されうる。Ｍ２ＭまたはＭＴＣデバイスである、ワイヤレス通信システム１００中のＵＥ１１５はまた、ＩｏＴの一部でありうる。このことから、ワイヤレス通信システム１００もまた、ＩｏＴの一部を含みうるか、またはその一部でありうる。
【００４０】
[0053]ワイヤレス通信システム１００中に示される通信リンク１２５は、ＵＥ１１５から基地局１０５へのアップリンク（ＵＬ）送信、および／または基地局１０５からＵＥ１１５へのダウンリンク（ＤＬ）送信を含みうる。ダウンリンク送信はまた、順方向リンク送信と呼ばれ、その一方でアップリンク送信はまた、逆方向リンク送信と呼ばれうる。各通信リンク１２５は、１つまたは複数のキャリアを含みえ、ここで、各キャリアは、上述された様々な無線技術にしたがって変調された複数のサブキャリア（例えば、異なる周波数の波形信号）から成る信号でありうる。各変調された信号は、異なるサブキャリア上で送られ、制御情報（例えば、基準信号、制御チャネル、等）、オーバヘッド情報、ユーザデータ、等を搬送しうる。通信リンク１２５は、ＦＤＤ動作を使用して（例えば、対にされたスペクトルリソースを使用して）またはＴＤＤ動作を使用して（例えば、対にされていないスペクトルリソースを使用して）双方向通信を送信しうる。ＦＤＤについてのフレーム構造（例えば、フレーム構造タイプ１）およびＴＤＤについてのフレーム構造（例えば、フレーム構造タイプ２）が定義されうる。
【００４１】
[0054]システム１００のいくつかの実施形態では、基地局１０５および／またはＵＥ１１５は、基地局１０５とＵＥ１１５との間での通信品質および信頼性を改善するために、アンテナダイバーシティスキームを用いるための複数のアンテナを含みうる。加えてまたは代替として、基地局１０５および／またはＵＥ１１５は、同じまたは異なるコード化されたデータを搬送する複数の空間レイヤを送信するために、マルチパス環境を活用しうる多入力多出力（ＭＩＭＯ）技法を用いうる。
【００４２】
[0055]ワイヤレス通信システム１００は、複数のセルまたはキャリア上での動作をサポートしえ、その特徴はキャリアアグリゲーション（ＣＡ）またはマルチキャリア動作と呼ばれうる。キャリアはまた、コンポーネントキャリア（ＣＣ）、レイヤ、チャネル、等と呼ばれうる。「キャリア」、「コンポーネントキャリア」、「セル」、および「チャネル」という用語は、本明細書では交換可能に使用されうる。ＵＥ１１５は、キャリアアグリゲーションのための複数のダウンリンクＣＣおよび１つまたは複数のアップリンクＣＣで構成されうる。キャリアアグリゲーションは、ＦＤＤおよびＴＤＤコンポーネントキャリアの両方を用いて使用されうる。
【００４３】
[0056]ワイヤレス通信システム１００中のＭ２ＭまたはＭＴＣを使用するＵＥ１１５は、ＩｏＴネットワーク中の低スループットＭ２ＭまたはＭＴＣデバイスを含みうる。これらのＵＥ１１５は、まれ且つ小さなデータ転送についてのサポートを含みうる。この追加のサポートは、以下にさらに説明されるように、ＵＥ１１５が、不必要または望ましくない通信に参加することを必要としない形で、既存のワイヤレス通信スキームの使用を含みうる。
【００４４】
[0057]いくつかの例では、ＵＥ１１５がシステム情報ブロック（ＳＩＢ）を復号した後で、ＵＥ１１５は、ランダムアクセスチャネル（ＲＡＣＨ）プリアンブルを基地局１０５に送信しうる。例えば、ＲＡＣＨプリアンブルは、６４個の所定のシーケンスのセットからランダムに選択されうる。これは、基地局１０５が、同時にシステムにアクセスしようと試みている複数のＵＥ１１５間を区別することを可能にしうる。基地局１０５は、ＵＬリソース許可、タイミングアドバンスおよび一時的セル無線ネットワーク一時的アイデンティティ（Ｃ−ＲＮＴＩ：cell radio network temporary identity）を提供するランダムアクセス応答で応答しうる。ＵＥ１１５はその後、一時的モバイル加入者アイデンティティ（ＴＭＳＩ：temporary mobile subscriber identity）（ＵＥ１１５が以前に同じワイヤレスネットワークに接続されている場合）またはランダム識別子とともにＲＲＣ接続要求を送信しうる。ＲＲＣ接続要求はまた、ＵＥ１１５がネットワークに接続している理由（例えば、緊急事態、シグナリング、データ交換、等）を示しうる。基地局１０５は、接続要求に、ＵＥ１１５に宛てられた競合解決メッセージ（contention resolution message）を用いて応答しえ、それは、新しいＣ−ＲＮＴＩを提供しうる。ＵＥ１１５が正しい識別情報とともに競合解決メッセージを受信した場合、それは、ＲＲＣセットアップを進めうる。ＵＥ１１５が競合解決メッセージを受信しない場合（例えば、別のＵＥ１１５とのコンフリクトが存在する場合）、それは、新しいＲＡＣＨプリアンブルを送信することによって、ＲＡＣＨ処理を繰り返しうる。
【００４５】
[0058]本開示にしたがって、基地局１０５は、ＰＲＡＣＨ信号を基地局１０５に送信するためのリソースをＵＥ１１５に割り振りうる。いくつかの例では、リソースは、時間および／または周波数リソースを含みうる。ランダムアクセスの予期される負荷に依存して、ＰＲＡＣＨ信号は、フレームの断片中の単一のトーンまたはフレームの複数のトーンを占有しうる。いくつかの例では、ＰＲＡＣＨ信号は、複数のＰＲＡＣＨセグメントから成りえ、それらの各々は、４０ミリ秒（ｍｓｅｃ）にわたって１つのトーンでありうる。本開示にしたがって、ＵＥ１１５は、定期的にスケジュールされたクラスとしてＰＲＡＣＨ信号を送信するために、フレームのサブセットを割り当てられうる。加えてまたは代替として、ＵＥはまた、いくつかの例では、オンデマンドクラスとしていつでもＰＲＡＣＨ信号を送信しうる。例えば、ＵＥ１１５が異常を検出した場合、ＵＥ１１５は、その異常を遅延なしに遠隔サーバにレポートしうる。別の例として、ＵＥ１１５は、即座のトラフィックを送信しうる。結果として、いくつかの例では、ＵＥ１１５にとって、重要なレポーティングパケットを送信するために、定期的にスケジュールされた送信を待つことは実現可能でないことがありうる。したがって、一例では、オンデマンドクラスの送信は、定期的にスケジュールされたクラスより高い優先度で扱われうる。
【００４６】
[0059]図２は、本開示の様々な態様にしたがって、セルラインターネットオブシングスシステム中でのランダムアクセスプロシージャのためのワイヤレス通信サブシステム２００の例を例示する。ワイヤレス通信サブシステム２００は、ＵＥ１１５−ａを含みえ、それは、図１に関連して上述されたＵＥ１１５の例でありうる。ワイヤレス通信サブシステム２００はまた、カバレッジエリア１１０−ａを有する基地局１０５−ａを含みえ、それは、図１に関連して上述された基地局１０５の例でありうる。
【００４７】
[0060]本開示にしたがって、ＵＥ１１５−ａは、ＰＲＡＣＨ信号を通信リンク２０５を通して基地局１０５−ａに送信するためのリソースの割り振りを基地局１０５−ａから受信しうる。基地局１０５−ａは、送信のためにスケジュールされたトラフィックのタイプおよびクラスに基づいて、ある特定の時間または周波数リソースをＵＥ１１５−ａに割り振りうる。例えば、ＵＥ１１５−ａは、定期的にスケジュールされたトラフィック２１０を基地局１０５−ａに送信しえ、ここで、定期的にスケジュールされたトラフィック２１０は、所定の時間間隔で送信される。定期的にスケジュールされたトラフィック２１０の例は、センサアクティビティまたは状態の周期的レポーティングを含みうる。いくつかの例では、定期的にスケジュールされたトラフィック２１０は、低優先度トラフィックと見なされうる。
【００４８】
[0061]加えてまたは代替として、ＵＥ１１５−ａはさらに、レポーティングトリガの検出に基づいて、オンデマンドトラフィック２１５を通信リンク２０５を通して基地局に送信するように構成されうる。例えば、ＵＥ１１５−ａが異常を検出するか、またはデータをネットワークに送信する早急の必要性を有する場合では、ＵＥ１１５−ａは、オンデマンドトラフィック２１５のために基地局１０５−ａによって割り振られたオンデマンドリソースを利用しうる。いくつかの例では、オンデマンドトラフィックは、高優先度トラフィックと見なされうる。
【００４９】
[0062]定期的にスケジュールされたトラフィックおよびオンデマンドトラフィックに関連付けられたトリガが同時にまたは所定の時間の範囲内に検出された場合では、送信リソースについての競合は、優先度の差異化に基づいて解決されうる。いくつかの例では、基地局１０５−ａは、定期的にスケジュールされた送信およびオンデマンド送信に関連付けられたアクセスレベル情報をＵＥ１１５−ａにブロードキャストしうる。いくつかの例では、アクセスレベル情報は、ＰＲＡＣＨチャネルのアクティブ負荷に依存しうる。このことから、アクセスレベル情報を受信することに基づいて、ＵＥ１１５−ａは、送信のタイプおよびクラス（すなわち、定期的にスケジュールされた、またはオンデマンド）に関連付けられたアクセス優先度が識別されたアクセスレベル情報を上回るかどうかを決定しうる。送信のためにスケジュールされたトラフィックのタイプおよびクラスについてのアクセス優先度が告知されたレベルを下回った場合、ＵＥ１１５−ａは、指定された時間期間中に通信リンク２０５上でＰＲＡＣＨ信号を送信することを可能にされないことがありうる。
【００５０】
[0063]反対に、ＵＥ１１５−ａが、送信のためにスケジュールされたトラフィックのタイプおよびクラスが告知されたアクセスレベルを上回ると決定した場合、ＵＥ１１５−ａは、高優先度パケットを送信するために、定期的にスケジュールされたトラフィックまたはオンデマンドトラフィックのいずれかのための割り振られたリソースを利用しうる。本開示のいくつかの例では、より低い優先度クラスは、ＰＲＡＣＨリソースのサブセット上でＰＲＡＣＨ信号を送ることを可能にされえ、その一方で、より高い優先度クラスは、利用可能なＰＲＡＣＨリソースのうちのいずれかまたは全てを使用しうる。
【００５１】
[0064]加えてまたは代替として、ＵＥ１１５−ａは、ＰＲＡＣＨ信号を基地局１０５−ａに送った後で、基地局１０５−ａからＰＲＡＣＨ応答を受信しうる。ＰＲＡＣＨ応答は、ＵＥ１１５−ａによって、ＰＲＡＣＨ衝突を解決するために、またはアクティブ識別情報（ＩＤ）をＵＥ１１５−ａに割り当てるために、利用されうる。アクティブＩＤは、ＰＤＳＣＨおよびＰＵＳＣＨ割り当てのために使用され、ＵＥがスリープモードに入るとアクティブＩＤプールに戻りうる。さらに、いくつかの例では、アクティブＵＥ１１５−ａは、基地局１０５−ａからアクティブＩＤを受信すると、アップリンクトラフィックチャネルＰＵＳＣＨに対するＰＲＡＣＨチャネル中の要求を送信しうる。一例では、初期アクセスおよびアクティブＵＥ１１５−ａは、スロッテッドＡＬＯＨＡ ＭＡＣプロトコルを用いて同じＰＲＡＣＨリソースプールを共有しうる。
【００５２】
[0065]本開示のまたさらなる例では、ＵＥ１１５−ａは、基地局１０５−ａに関連付けられたパスロス情報を決定しうる。いくつかの例では、パスロス情報は、基地局１０５−ａからダウンリンク信号を受信し、通信リンク２０５上でダウンリンク信号の強度を測定することによって決定されうる。それ故に、基地局１０５−ａと同期するために、ＵＥ１１５−ａは、ＰＲＡＣＨ信号中でパスロス情報を通信リンク２０５を通して基地局１０５−ａに送信しうる。いくつかの例では、基地局１０５−ａは、ダウンリンク電力を決定し、ダウンリンク制御およびトラフィックチャネル（例えば、ＰＤＣＣＨおよびＰＤＳＣＨ）のためのリソースを管理するために、パスロス情報を利用しうる。
【００５３】
[0066]図３は、本開示の様々な態様にしたがって、セルラインターネットオブシングスシステム中でのランダムアクセスプロシージャのためのフレーム構造３００の例を例示する。フレーム構造３００は、図１および２に関連して上述されたように、ＰＲＡＣＨ信号をＩｏＴネットワーク中の基地局１０５に送信するために、ＵＥ１１５によって利用されるリソースの例でありうる。
【００５４】
[0067]一例では、フレーム構造３００は、複数のセグメント（３０５、３１０、３１５、３２０）を含みえ、それらの各々は、４０ｍｓｅｃにわたる１つのトーンでありうる。基地局１０５は、送信のためにスケジュールされたトラフィックのタイプおよびクラスに関連付けられたフレーム構造３００上の時間および周波数リソースをＵＥ１１５に割り振りうる。いくつかの例では、ベースラインアップリンクランダムアクセスチャネルは、フレーム全体中に１つのトーンを占有しうる。しかしながら、ランダムアクセスの予期される負荷に依存して、ＰＲＡＣＨは、フレームの断片中の１つのトーンまたは複数のトーンのいずれかを占有しうる。
【００５５】
[0068]いくつかの例では、ＵＥ１１５は、定期的にスケジュールされたＰＲＡＣＨ信号を送信するために、フレーム３００のサブセット（例えば、セグメント３０５）を割り当てられうる。対照的に、オンデマンドＰＲＡＣＨ信号は、オンデマンドＰＲＡＣＨ信号を基地局１０５に送信するために、フレーム３００のうちのいずれかまたは全てを利用しうる。したがって、いくつかの例では、定期的にスケジュールされた送信およびオンデマンドスケジュールされた送信のための割り振りは、重複しうる。他の例では、定期的にスケジュールされた送信のためのリソースの割り振りは、オンデマンド送信のための割り振りのサブセットでありうる。そのような例では、ＵＥ１１５は、定期的にスケジュールされた送信より高い優先度をオンデマンド送信に割り当てうる。
【００５６】
[0069]図４は、本開示の様々な態様にしたがって、セルラインターネットオブシングスシステム中でのランダムアクセスプロシージャのためのスイム図（swim diagram）４００の例を例示する。スイム図４００は、ＵＥ１１５−ｂを含みえ、それは、図１および２に関連して上述されたＵＥ１１５の例でありうる。図４００はまた、基地局１０５−ｂを含みえ、それは、図１および２に関連して上述された基地局１０５の例でありうる。
【００５７】
[0070]本開示にしたがって、基地局１０５−ｂは、定期的にスケジュールされたトラフィックおよびオンデマンドトラフィックのためにＵＥ１１５−ｂにリソースを割り振りうる４０５。割り振られたリソースは、時間および周波数リソースを含みうる。加えてまたは代替として、基地局はまた、定期的にスケジュールされたトラフィックとオンデマンドトラフィックとの間でのリソース競合を解決するために、アクセスレベル情報４１０をＵＥ１１５−ｂに送信しうる。
【００５８】
[0071]ＵＥ１１５−ｂは、第１の時間期間中に、予めスケジュールされた時間間隔中に少なくとも１つのタイプのトラフィックを基地局１０５−ｂにレポートするためのスケジュールされたトリガを検出しうる（ステップ４１５において）。しかしながら、同時または所定の時間期間内のいずれかにおいて、ＵＥ１１５−ｂはまた、オンデマンドトリガを検出しうる（ステップ４２０において）。結果として、ＵＥ１１５−ｂは、割り振られたリソースを使用して、スケジュールされたＰＲＡＣＨ信号およびオンデマンドＰＲＡＣＨ信号の両方を送信することを試みうる。複数のタイプのトラフィック間でのリソース競合を解決するために、ＵＥ１１５−ｂは、基地局から受信されたアクセスレベル情報４１０に基づいて、各タイプのトラフィックに関連付けられた優先度レベルを決定しうる（ステップ４２５において）。
【００５９】
[0072]それ故に、ＵＥ１１５−ｂは、スケジュールされたＰＲＡＣＨ信号またはオンデマンド信号に関連付けられた優先度レベルが告知されたアクセスレベルを上回るかどうかを決定しうる。（ステップ４２５における）優先度決定に部分的に基づいて、ＵＥ１１５−ｂは、スケジュールされた送信またはオンデマンド送信のいずれかのために割り振られたリソースを使用して、オンデマンドＰＲＡＣＨ信号４３０を基地局１０５−ｂに送信しうる。いくつかの例では、ＰＲＡＣＨ信号４３０は、基地局に関連付けられたパスロス情報を含みうる。パスロス情報は、基地局１０５−ｂとＵＥ１１５−ｂとの間でのダウンリンクパスロスを決定するために、ＵＥ１１５−ｂによって遂行される開ループ電力制御に関連付けられうる。オンデマンドＰＲＡＣＨ信号送信４３０が終了すると、ＵＥ１１５−ｂは、保留中の（pending）スケジュールされたＰＲＡＣＨ信号４３５をスケジュールされた送信のために割り振られたリソースを通して基地局１０５−ｂに送信しうる。
【００６０】
[0073]図５は、本開示の様々な態様にしたがって、セルラインターネットオブシングスシステム中でのランダムアクセスプロシージャのために構成されたＵＥ１１５−ｃのブロック図５００を示す。ＵＥ１１５−ｃは、図１−４に関連して説明されたＵＥ１１５の態様の例でありうる。ＵＥ１１５−ｃは、受信機５０５、通信管理モジュール５１０、または送信機５１５を含みうる。これらのコンポーネントの各々は、互いと通信状態にありうる。
【００６１】
[0074]受信機５０５は、様々な情報チャネル（例えば、制御チャネル、データチャネル、およびセルラインターネットオブシングスシステム中でのランダムアクセスプロシージャに関連する情報、等）に関連付けられた、パケット、ユーザデータ、または制御情報のような情報を受信しうる。情報は、通信管理モジュール５１０に、およびＵＥ１１５−ｃの他のコンポーネントに伝えられうる。いくつかの例では、受信機５０５は、第１のＰＲＡＣＨ信号に応答して、基地局からＰＲＡＣＨ応答を受信しうる。
【００６２】
[0075]通信管理モジュール５１０は、基地局から、定期的にスケジュールされた送信のために第１のＰＲＡＣＨ信号を送るための第１のリソースの割り振りを受信しえ、ここにおいて、第１のリソースの割り振りは、時間または周波数リソースのうちの少なくとも１つを含む。通信管理モジュール５１０はまた、定期的にスケジュールされた送信のための第１のレポーティングトリガを検出し、レポーティングトリガの検出に応答して、第１のＰＲＡＣＨ信号を第１のリソースの割り振りを通して基地局に送信しうる。
【００６３】
[0076]送信機５１５は、ＵＥ１１５−ｃの他のコンポーネントから受信された信号を送信しうる。いくつかの実施形態では、送信機５１５は、トランシーバモジュール中で受信機５０５とコロケートされうる。送信機５１５は、単一のアンテナを含みうるか、またはそれは、複数のアンテナを含みうる。
【００６４】
[0077]図６は、本開示の様々な態様にしたがって、セルラインターネットオブシングスシステム中でのランダムアクセスプロシージャのためのＵＥ１１５−ｄのブロック図６００を示す。ＵＥ１１５−ｄは、図１−５に関連して説明されたＵＥ１１５の態様の例でありうる。ＵＥ１１５−ｄは、受信機５０５−ａ、通信管理モジュール５１０−ａ、または送信機５１５−ａを含みうる。これらのコンポーネントの各々は、互いと通信状態にありうる。通信管理モジュール５１０−ａはまた、リソース割り振りモジュール６０５、トリガ検出モジュール６１０、および送信スケジューリングモジュール６１５を含みうる。
【００６５】
[0078]受信機５０５−ａは、通信管理モジュール５１０−ａに、およびＵＥ１１５−ｄの他のコンポーネントに伝えられうる情報を受信しうる。通信管理モジュール５１０−ａは、図５に関連して上述された動作を遂行しうる。送信機５１５−ａは、ＵＥ１１５−ｄの他のコンポーネントから受信された信号を送信しうる。受信機５０５−ａ、通信管理モジュール５１０−ａ、および送信機５１５−ａは、図５に関して説明された受信機５０５、通信管理モジュール５１０、および送信機５１５の例でありうる。
【００６６】
[0079]リソース割り振りモジュール６０５は、図２−４に関連して上述されたように、基地局から、定期的にスケジュールされた送信のために第１のＰＲＡＣＨ信号を送るための第１のリソースの割り振りを受信しえ、ここにおいて、第１のリソースの割り振りは、時間または周波数リソースのうちの少なくとも１つを含む。リソース割り振りモジュール６０５はまた、基地局から、オンデマンド送信のために第２のＰＲＡＣＨ信号を送るための第２のリソースの割り振りを受信しうる。いくつかの例では、第１および第２のリソースの割り振りは、重複しない。いくつかの例では、第１のリソースの割り振りは、第２のリソースの割り振りのサブセットでありうる。
【００６７】
[0080]トリガ検出モジュール６１０は、図２−４に関連して上述されたように、定期的にスケジュールされた送信のための第１のレポーティングトリガを検出しうる。トリガ検出モジュール６１０はまた、図２−４に関連して上述されたように、オンデマンド送信のための第２のレポーティングトリガを検出しうる。
【００６８】
[0081]送信スケジューリングモジュール６１５は、図２−４に関連して上述されたように、レポーティングトリガを検出することに応答して、第１のＰＲＡＣＨ信号を第１のリソースの割り振りを通して基地局に送信しうる。送信スケジューリングモジュール６１５はまた、検出することに基づいて、第２のＰＲＡＣＨ信号を基地局に送信しえ、第２のＰＲＡＣＨ信号は、第１のリソースの割り振りまたは第２のリソースの割り振りを通して送信される。いくつかの例では、オンデマンド送信は、定期的にスケジュールされた送信より高い優先度を割り当てられうる。送信スケジューリングモジュール６１５はまた、決定することに基づいて、第１のＰＲＡＣＨ信号または第２のＰＲＡＣＨ信号を送信しうる。
【００６９】
[0082]図７は、本開示の様々な態様にしたがって、セルラインターネットオブシングスシステム中でのランダムアクセスプロシージャのための通信管理モジュール５１０−ｂのブロック図７００を示す。通信管理モジュール５１０−ｂは、図５または６に関連して説明された通信管理モジュール５１０の態様の例でありうる。通信管理モジュール５１０−ｂは、リソース割り振りモジュール６０５−ａ、トリガ検出モジュール６１０−ａ、および送信スケジューリングモジュール６１５−ａを含みうる。これらのモジュールの各々は、図６に関連して上述された機能を遂行しうる。通信管理モジュール５１０−ｂはまた、アクセス構成モジュール７０５、優先度決定モジュール７１０、定期的にスケジュールされたトリガモジュール７１５、オンデマンドトリガモジュール７２０、パスロス決定モジュール７２５、パスロスレポーティングモジュール７３０、アクティブＩＤモジュール７３５およびＰＵＳＣＨ要求モジュール７４０を含みうる。
【００７０】
[0083]いくつかの例では、リソース割り振りモジュール６０５−ａは、図２−４に関連して上述されたように、基地局からアクセスレベル情報を受信するように構成されたアクセス構成モジュール７０５を含みえ、アクセスレベル情報は、定期的にスケジュールされた送信およびオンデマンド送信に関連付けられる。いくつかの例では、アクセスレベル情報は、第１のリソースの割り振りおよび第２のリソースの割り振りの負荷ファクタに基づきうる。リソース割り振りモジュール６０５−ａはさらに、図２−４に関連して上述されたように、定期的にスケジュールされた送信またはオンデマンド送信のうちの少なくとも１つについてのアクセス優先度がアクセスレベル情報を上回るかどうかを決定するための優先度決定モジュール７１０を含みうる。いくつかの例では、アクセス優先度は、アクセス構成モジュール７０５で受信されたアクセスレベル情報に基づきうる。
【００７１】
[0084]加えてまたは代替として、通信管理モジュール５１０−ｂはさらに、定期的にスケジュールされたトリガモジュール７１５およびオンデマンドトリガモジュール７２０を備えるトリガ検出モジュール６１０−ａを含みうる。定期的にスケジュールされたトリガモジュール７１５およびオンデマンドトリガモジュール７２０の各々は、基地局への送信をスケジュールするための少なくとも１つのレポーティングトリガを検出するように構成されうる。いくつかの例では、定期的にスケジュールされたトリガモジュール７１５は、所定の時間間隔でパケットを基地局に送信するための条件を検出しうる。例えば、定期的にスケジュールされたトリガモジュール７１５は、所定の時間間隔（例えば、２４時間間隔）で基地局にレポートされるように構成されたセンサ測定値を検出しうる。対照的に、オンデマンドトリガモジュール７２０は、図２−４に関連して上述されたように、オンデマンド送信のためのレポーティングトリガを検出しうる。オンデマンドトラフィックは、少なくとも１つのレポーティングトリガの検出（例えば、ＵＥにおいて異常を感知すること）に基づいて開始される即座の送信を含みうる。
【００７２】
[0085]いくつかの例では、パスロス決定モジュール７２５は、図２−４に関連して上述されたように、基地局に関連付けられたパスロス情報を決定しうる。いくつかの例では、パスロス情報は、基地局からダウンリンク信号を受信し、ダウンリンク信号の強度を測定することによって決定されうる。加えてまたは代替として、パスロスレポーティングモジュール７３０は、図２−４に関連して上述されたように、ＰＲＡＣＨ信号中でパスロス情報を基地局にレポートしうる。
【００７３】
[0086]本開示にしたがって、通信管理モジュール５１０−ｂはさらに、ＰＲＡＣＨ信号を送信することに応答して、基地局からＰＲＡＣＨ応答を受信しうる。受信されたＰＲＡＣＨ応答に基づいて、アクティブＩＤモジュール７３５は、図２−４に関連して上述されたように、ＵＥに対するアクティブＩＤを決定しうる。アクティブＩＤモジュール７３５はまた、ＰＤＳＣＨおよびＰＵＳＣＨ割り当てのためにアクティブＩＤを使用しうる。
【００７４】
[0087]またさらなる例では、ＰＵＳＣＨ要求モジュール７４０は、図２−４に関連して上述されたように、第１のリソースの割り振りまたは第２のリソースの割り振りのうちの少なくとも１つを使用して、第１のＰＲＡＣＨ信号中でＰＵＳＣＨに対する要求を送信しうる。ＰＵＳＣＨ要求モジュール７４０はまた、ＭＴＣプロシージャに基づいて、データをネットワークと交換しうる。
【００７５】
[0088]図８は、本開示の様々な態様にしたがって、セルラインターネットオブシングスシステム中でのランダムアクセスプロシージャのために構成されたＵＥ１１５を含むシステム８００の図を示す。システム８００は、ＵＥ１１５−ｅを含みえ、それは、図１−７に関連して上述されたＵＥ１１５の例でありうる。ＵＥ１１５−ｅは、通信管理モジュール８１０を含みえ、それは、図５−７に関連して説明された通信管理モジュール５１０の例でありうる。ＵＥ１１５−ｅはまた、ＭＴＣモジュール８２５を含みうる。ＵＥ１１５−ｅはまた、通信を送信するためのコンポーネントおよび通信を受信するためのコンポーネントを含む、双方向音声およびデータ通信のためのコンポーネントを含みうる。例えば、ＵＥ１１５−ｅは、ＵＥ１１５−ｆまたは基地局１０５−ｃと双方向に通信しうる。
【００７６】
[0089]いくつかの例では、ＭＴＣモジュール８２５は、送信シンボル時間を決定するために開ループタイミング同期を使用することによって、ＵＥ１１５−ｅと基地局１０５−ｃとの間での改善された通信を容易にしうる。この例では、ＭＴＣモジュール８２５はまた、アップリンク送信中での拡張されたサイクリックプリフィックス長の使用を容易にしえ、その一方で、拡張されていないサイクリックプリフィックス長は、ダウンリンク送信とともに使用されうる。拡張されたアップリンクサイクリックプリフィックスを使用することによって、異なるＵＥ１１５からのアップリンク信号は、アップリンクサイクリックプリフィックスによってカバーされたある時間のウィンドウ（例えば、ＵＥ１１５と基地局１０５−ｃとの間での最大ラウンドトリップ遅延）内に基地局１０５−ｃに到達しうる。
【００７７】
[0090]ＭＴＣプロシージャの他の例では、ＵＥ１１５−ｅは、ダウンリンクメッセージを復調するために直交周波数分割多元接続（ＯＦＤＭＡ）を、およびアップリンク変調のためにガウス最小偏移変調（ＧＭＳＫ）とシングルキャリア周波数分割多元接続（ＳＣ−ＦＤＭＡ）との組み合わせを、利用しうる。アップリンク変調処理は、Ｍ点離散フーリエ変換（ＤＦＴ）でシンボルベクトルを生成することと、周波数ドメインガウスフィルタでシンボルベクトルをフィルタリングすることと、逆ＤＦＴを利用して、フィルタリングされたシンボルベクトルからサンプルベクトルを生成することと、ＧＭＳＫを利用してサンプルベクトルを変調することとを含みうる。いくつかのケースでは、アップリンク変調は、基地局から受信される狭帯域リソース割り振りに基づきうる。
【００７８】
[0091]ＭＴＣプロシージャの他の例では、ＵＥ１１５−ｅは、前もってＵＥに知られ、ローカル領域中のセルのグループに共通している波形を使用してセルと同期しうる。ＵＥはその後、物理ブロードキャストチャネル（ＰＢＣＨ）時間を決定しうる。ＵＥ１１５−ｅは、ＰＢＣＨを受信し、アップリンク送信のための周波数およびセルに対する物理レイヤＩＤを決定するために、それを使用しうる。ＰＢＣＨはまた、チャネル構成を示しえ、それは、ＵＥ１１５−ｅが、ランダムアクセスプロシージャを遂行することを可能にしうる。チャネル構成は、共有トラフィックチャネルの時間および周波数リソース構成を含みうる。いくつかのケースでは、ＵＥ１１５−ｅは、制御チャネル送信のインデックスに基づいて、データ送信のためのリソースを決定しうる。いくつかのケースでは、制御チャネル送信とデータチャネル送信との間で所定の遅延が存在しうる。ＵＥ１１５−ｅはその後、遅延中に低電力状態に入りうる。
【００７９】
[0092]ＭＴＣプロシージャの他の例では、ＵＥ１１５−ｅは、サービングセルとの接続を確立するために、初期アクセスプロシージャを遂行しうる。ＵＥ１１５−ｅはその後、不連続送信（ＤＴＸ）サイクルを含むサービングセルとの定期的な送信スケジュールおよび肯定応答スケジュールを取り決めうる。ＵＥ１１５−ｅは、低電力モードに入り、ＤＴＸサイクルのスリープ間隔中でのいかなる送信も控えうる。ＵＥ１１５−ｅはその後、別のアクセスプロシージャを遂行することなしに、スリープ間隔後に、ウェイクアップし、メッセージをサービングセルに送信しうる。ＵＥ１１５−ｅは、定期的な送信スケジュールによってカバーされていない時間において送信するために、別のアクセスプロシージャを遂行しうる。例えば、メッセージに対する肯定応答（ＡＣＫ）が受信されない場合、ＵＥ１１５−ｅは、再送信のために、別のアクセスプロシージャを遂行しうる。
【００８０】
[0093]ＭＴＣプロシージャのさらなる別の例では、ＭＴＣモジュール８２５は、後続の第２の通信セッションのための電力およびタイミング制御情報を決定するために、基地局との第１の通信セッションからの記憶された制御情報を使用することを容易にしうる。具体的には、この例では、ＭＴＣモジュール８２５は、基地局１０５−ｃとの第１の通信セッションを確立し、第１の通信セッション中に、アップリンク送信に関連付けられた送信信号シンボルタイミングおよび／または電力制御レベルを調整する際にＵＥ１１５−ｅを援助するために、基地局１０５−ｃから閉ループ制御情報を受信しうる。そのような事例では、ＭＴＣモジュール８２５は、メモリ８１５中に、第１の通信セッション中に閉ループ制御情報から導出される送信電力およびシンボルタイミング情報を記憶することを容易にしうる。後に、ＭＴＣモジュール８２５は、基地局１０５−ｃとの第２の通信セッションを確立するための送信信号電力および／またはシンボルタイミングを決定するために、第１の通信セッションからの記憶された閉ループ制御情報を利用しうる。
【００８１】
[0094]ＵＥ１１５−ｅはまた、プロセッサモジュール８０５、（ソフトウェア（ＳＷ）８２０を含む）メモリ８１５、トランシーバモジュール８３５、および１つまたは複数のアンテナ８４０を含みえ、それらの各々は、（例えば、バス８４５を介して）互いと、直接的にまたは間接的に、通信しうる。上述されたように、トランシーバモジュール８３５は、アンテナ８４０またはワイヤードあるいはワイヤレスリンクを介して、１つまたは複数のネットワークと双方向に通信しうる。例えば、トランシーバモジュール８３５は、基地局１０５−ｃまたは別のＵＥ１１５−ｆと双方向に通信しうる。トランシーバモジュール８３５は、パケットを変調し、変調されたパケットを送信のためにアンテナ８４０に提供し、アンテナ８４０から受信されたパケットを復調するためのモデムを含みうる。ＵＥ１１５−ｅは、単一のアンテナ８４０を含みうるが、ＵＥ１１５−ｅはまた、複数のワイヤレス送信を同時に送信または受信することが可能である複数のアンテナ８４０を有しうる。
【００８２】
[0095]メモリ８１５は、ランダムアクセスメモリ（ＲＡＭ）および読取専用メモリ（ＲＯＭ）を含みうる。メモリ８１５は、実行されると、プロセッサモジュール８０５に、本明細書で説明された様々な機能（例えば、セルラインターネットオブシングスシステム中でのランダムアクセスプロシージャ、等）を遂行させる命令を含む、コンピュータ可読、コンピュータ実行可能ソフトウェア／ファームウェアコード８２０を記憶しうる。代替として、ソフトウェア／ファームウェアコード８２０は、プロセッサモジュール８０５によって直接実行可能ではないことがありうるが、（例えば、コンパイルおよび実行されると）コンピュータに、本明細書で説明された機能を遂行させうる。プロセッサモジュール８０５は、インテリジェントハードウェアデバイス（例えば、ＡＲＭ（登録商標）ベースのプロセッサのような中央処理ユニット（ＣＰＵ）、マイクロコントローラ、ＡＳＩＣ、等）を含みうる。
【００８３】
[0096]図９は、本開示の様々な態様にしたがって、セルラインターネットオブシングスシステム中でのランダムアクセスプロシージャのための方法９００を例示するフローチャートを示す。方法９００の動作は、図１−８に関連して説明されたように、ＵＥ１１５またはそのコンポーネントによってインプリメントされうる。例えば、方法９００の動作は、図５−９に関連して説明されたように、通信管理モジュール５１０によって遂行されうる。いくつかの例では、ＵＥ１１５は、以下に説明される機能を遂行するためのＵＥ１１５の機能的な要素を制御するために、コードのセットを実行しうる。加えてまたは代替として、ＵＥ１１５は、特殊用途ハードウェアを使用して、以下に説明される機能の態様を遂行しうる。
【００８４】
[0097]ブロック９０５において、ＵＥ１１５は、図２−４に関連して上述されたように、基地局から、定期的にスケジュールされた送信のために第１のＰＲＡＣＨ信号を送るための第１のリソースの割り振りを受信しえ、ここにおいて、第１のリソースの割り振りは、時間または周波数リソースのうちの少なくとも１つを含む。ある特定の例では、ブロック９０５の動作は、図６に関連して上述されたように、リソース割り振りモジュール６０５によって遂行されうる。
【００８５】
[0098]ブロック９１０において、ＵＥ１１５は、図２−４に関連して上述されたように、定期的にスケジュールされた送信のための第１のレポーティングトリガを検出しうる。ある特定の例では、ブロック９１０の動作は、図６に関連して上述されたように、トリガ検出モジュール６１０によって遂行されうる。
【００８６】
[0099]ブロック９１５において、ＵＥ１１５は、図２−４に関連して上述されたように、レポーティングトリガを検出することに応答して、第１のＰＲＡＣＨ信号を第１のリソースの割り振りを通して基地局に送信しうる。ある特定の例では、ブロック９１５の動作は、図６に関連して上述されたように、送信スケジューリングモジュール６１５によって遂行されうる。
【００８７】
[0100]図１０は、本開示の様々な態様にしたがって、セルラインターネットオブシングスシステム中でのランダムアクセスプロシージャのための方法１０００を例示するフローチャートを示す。方法１０００の動作は、図１−８に関連して説明されたように、ＵＥ１１５またはそのコンポーネントによってインプリメントされうる。例えば、方法１０００の動作は、図５−９に関連して説明されたように、通信管理モジュール５１０によって遂行されうる。いくつかの例では、ＵＥ１１５は、以下に説明される機能を遂行するためのＵＥ１１５の機能的な要素を制御するために、コードのセットを実行しうる。加えてまたは代替として、ＵＥ１１５は、特殊用途ハードウェアを使用して、以下に説明される機能の態様を遂行しうる。方法１０００はまた、図９の方法９００の態様を組み込みうる。
【００８８】
[0101]ブロック１００５において、ＵＥ１１５は、図２−４に関連して上述されたように、基地局から、定期的にスケジュールされた送信のために第１のＰＲＡＣＨ信号を送るための第１のリソースの割り振りを受信しえ、ここにおいて、第１のリソースの割り振りは、時間または周波数リソースのうちの少なくとも１つを含む。ある特定の例では、ブロック１００５の動作は、図６に関連して上述されたように、リソース割り振りモジュール６０５によって遂行されうる。
【００８９】
[0102]ブロック１０１０において、ＵＥ１１５は、図２−４に関連して上述されたように、定期的にスケジュールされた送信のための第１のレポーティングトリガを検出しうる。ある特定の例では、ブロック１０１０の動作は、図７に関連して上述されたように、定期的にスケジュールされたトリガモジュール７１５によって遂行されうる。
【００９０】
[0103]ブロック１０１５において、ＵＥ１１５は、図２−４に関連して上述されたように、基地局に関連付けられたパスロス情報を決定しうる。ある特定の例では、ブロック１０１０の動作は、図７に関連して上述されたように、パスロス決定モジュール７２５によって遂行されうる。
【００９１】
[0104]ブロック１０２０において、ＵＥ１１５は、図２−４に関連して上述されたように、レポーティングトリガを検出することに応答して、第１のＰＲＡＣＨ信号を第１のリソースの割り振りを通して基地局に送信しうる。いくつかの例では、第１のＰＲＡＣＨ信号は、パスロス情報を含みうる。ある特定の例では、ブロック１０２０の動作は、図６に関連して上述されたように、送信スケジューリングモジュール６１５によって、および／または図７に関連して上述されたように、パスロスレポーティングモジュール７３０によって、遂行されうる。
【００９２】
[0105]図１１は、本開示の様々な態様にしたがって、セルラインターネットオブシングスシステム中でのランダムアクセスプロシージャのための方法１１００を例示するフローチャートを示す。方法１１００の動作は、図１−８に関連して説明されたように、ＵＥ１１５またはそのコンポーネントによってインプリメントされうる。例えば、方法１１００の動作は、図５−９に関連して説明されたように、通信管理モジュール５１０によって遂行されうる。いくつかの例では、ＵＥ１１５は、以下に説明される機能を遂行するためのＵＥ１１５の機能的な要素を制御するために、コードのセットを実行しうる。加えてまたは代替として、ＵＥ１１５は、特殊用途ハードウェアを使用して、以下に説明される機能の態様を遂行しうる。方法１１００はまた、図９および１０の方法９００および１０００の態様を組み込みうる。
【００９３】
[0106]ブロック１１０５において、ＵＥ１１５は、図２−４に関連して上述されたように、基地局から、定期的にスケジュールされた送信のために第１のＰＲＡＣＨ信号を送るための第１のリソースの割り振りを受信しえ、ここにおいて、第１のリソースの割り振りは、時間または周波数リソースのうちの少なくとも１つを含む。ある特定の例では、ブロック１１０５の動作は、図６に関連して上述されたように、リソース割り振りモジュール６０５によって遂行されうる。
【００９４】
[0107]ブロック１１１０において、ＵＥ１１５は、図２−４に関連して上述されたように、基地局から、オンデマンド送信のために第２のＰＲＡＣＨ信号を送るための第２のリソースの割り振りを受信しうる。ある特定の例では、ブロック１１００の動作は、図６に関連して上述されたように、リソース割り振りモジュール６０５によって遂行されうる。
【００９５】
[0108]ブロック１１１５において、ＵＥ１１５は、図２−４に関連して上述されたように、定期的にスケジュールされた送信のための第１のレポーティングトリガを検出しうる。ある特定の例では、ブロック１１１５の動作は、図７に関連して上述されたように、定期的にスケジュールされたトリガモジュール７１５によって遂行されうる。
【００９６】
[0109]ブロック１１２０において、ＵＥ１１５は、図２−４に関連して上述されたように、オンデマンド送信のための第２のレポーティングトリガを検出しうる。ある特定の例では、ブロック１１２０の動作は、図７に関連して上述されたように、オンデマンドトリガモジュール７２０によって遂行されうる。
【００９７】
[0110]ブロック１１２５において、ＵＥ１１５は、第１および第２のレポーティングトリガを検出することに基づいて、第２のＰＲＡＣＨ信号を基地局に送信しうる。いくつかの例では、第２のＰＲＡＣＨ信号は、図２−４に関連して上述されたように、第１のリソースの割り振りまたは第２のリソースの割り振りを通して送信されうる。本開示にしたがって、第１または第２のリソースの割り振りを通して送信するかどうかを決定することは、定期的にスケジュールされた送信トラフィックおよびオンデマンドトラフィックの各々の優先度レベルに基づきうる。いくつかの例では、優先度決定は、基地局から受信されたアクセスレベル情報に基づきうる。いくつかの例では、オンデマンドトラフィックは、定期的にスケジュールされたトラフィックより高い優先度を割り振られうる。他の例では、定期的にスケジュールされたトラフィックは、オンデマンドトラフィックより高い優先度を割り振られうる。予期される負荷に依存して、ＰＲＡＣＨ信号は、フレーム中のトーンの断片または複数のトーンを占有しうる。本開示にしたがって、より低い優先度クラス（すなわち、定期的にスケジュールされたトラフィックまたはオンデマンドトラフィック）は、ＰＲＡＣＨリソースのサブセット中でＰＲＡＣＨ信号を送信するように限定されえ、その一方で、より高い優先度クラスは、利用可能なＰＲＡＣＨリソースのフルセットを使用しうる。ある特定の例では、ブロック１１２５の動作は、図６に関連して上述されたように、送信スケジューリングモジュール６１５によって、図７に関連して上述されたように、アクセス構成モジュール７０５、および／または優先度決定モジュール７１０によって、遂行されうる。
【００９８】
[0111]図１２は、本開示の様々な態様にしたがって、セルラインターネットオブシングスシステム中でのランダムアクセスプロシージャのための方法１２００を例示するフローチャートを示す。方法１２００の動作は、図１−８に関連して説明されたように、ＵＥ１１５またはそのコンポーネントによってインプリメントされうる。例えば、方法１２００の動作は、図５−９に関連して説明されたように、通信管理モジュール５１０によって遂行されうる。いくつかの例では、ＵＥ１１５は、以下に説明される機能を遂行するためのＵＥ１１５の機能的な要素を制御するために、コードのセットを実行しうる。加えてまたは代替として、ＵＥ１１５は、特殊用途ハードウェアを使用して、以下に説明される機能の態様を遂行しうる。方法１２００はまた、図９−１１の方法９００、１０００、および１１００の態様を組み込みうる。
【００９９】
[0112]ブロック１２０５において、ＵＥ１１５は、図２−４に関連して上述されたように、基地局から、定期的にスケジュールされた送信のために第１のＰＲＡＣＨ信号を送るための第１のリソースの割り振りを受信しえ、ここにおいて、第１のリソースの割り振りは、時間または周波数リソースのうちの少なくとも１つを含む。ある特定の例では、ブロック１２０５の動作は、図６に関連して上述されたように、リソース割り振りモジュール６０５によって遂行されうる。
【０１００】
[0113]ブロック１２１０において、ＵＥ１１５は、図２−４に関連して上述されたように、基地局から、オンデマンド送信のために第２のＰＲＡＣＨ信号を送るための第２のリソースの割り振りを受信しうる。ある特定の例では、ブロック１２２０の動作は、図６に関連して上述されたように、リソース割り振りモジュール６０５によって遂行されうる。
【０１０１】
[0114]ブロック１２１５において、ＵＥ１１５は、図２−４に関連して上述されたように、定期的にスケジュールされた送信のための第１のレポーティングトリガを検出しうる。ある特定の例では、ブロック１２１０の動作は、図７に関連して上述されたように、定期的にスケジュールされたトリガモジュール７１５によって遂行されうる。
【０１０２】
[0115]ブロック１２２０において、ＵＥ１１５は、図２−４に関連して上述されたように、オンデマンド送信のための第２のレポーティングトリガを検出しうる。ある特定の例では、ブロック１２２０の動作は、図７に関連して上述されたように、オンデマンドトリガモジュール７２０によって遂行されうる。
【０１０３】
[0116]ブロック１２２５において、ＵＥ１１５は、図２−４に関連して上述されたように、基地局からアクセスレベル情報を受信しえ、アクセスレベル情報は、定期的にスケジュールされた送信およびオンデマンド送信に関連付けられる。ある特定の例では、ブロック１２３５の動作は、図７に関連して上述されたように、アクセス構成モジュール７０５によって遂行されうる。
【０１０４】
[0117]ブロック１２３０において、ＵＥ１１５は、図２−４に関連して上述されたように、第１のＰＲＡＣＨ信号（すなわち、定期的にスケジュールされた送信）または第２のＰＲＡＣＨ（すなわち、オンデマンド送信）信号のうちの少なくとも１つについてのアクセス優先度がアクセスレベル情報を上回るかどうかを決定しうる。予期される負荷に依存して、ＰＲＡＣＨ信号は、フレーム中のトーンの断片または複数のトーンを占有しうる。本開示にしたがって、より低い優先度クラス（すなわち、定期的にスケジュールされたトラフィックまたはオンデマンドトラフィック）は、ＰＲＡＣＨリソースのサブセット中でＰＲＡＣＨ信号を送信するように限定されえ、その一方で、より高い優先度クラスは、利用可能なＰＲＡＣＨリソースのフルセットを使用しうる。いくつかの例では、オンデマンド送信は、より高い優先度を割り振られうる。いくつかの例では、ブロック１２３０の動作は、図７に関連して上述されたように、優先度決定モジュール７１０によって遂行されうる。
【０１０５】
[0118]ブロック１２３５において、ＵＥ１１５は、図２−４に関連して上述されたように、アクセスレベル情報に基づいてどちらの信号がより高い優先度を有しているかを決定することに基づいて、第１のＰＲＡＣＨ信号または第２のＰＲＡＣＨ信号を送信しうる。決定された優先度レベルに基づいて、ＵＥ１１５は、割り振られたリソース上で第１または第２のＰＲＡＣＨ信号を基地局に送信しうる。ある特定の例では、ブロック１２３５の動作は、図６に関連して上述されたように、送信スケジューリングモジュール６１５によって遂行されうる。
【０１０６】
[0119]図１３は、本開示の様々な態様にしたがって、セルラインターネットオブシングスシステム中でのランダムアクセスプロシージャのための方法１３００を例示するフローチャートを示す。方法１３００の動作は、図１−８に関連して説明されたように、ＵＥ１１５またはそのコンポーネントによってインプリメントされうる。例えば、方法１３００の動作は、図５−９に関連して説明されたように、通信管理モジュール５１０によって遂行されうる。いくつかの例では、ＵＥ１１５は、以下に説明される機能を遂行するためのＵＥ１１５の機能的な要素を制御するために、コードのセットを実行しうる。加えてまたは代替として、ＵＥ１１５は、特殊用途ハードウェアを使用して、以下に説明される機能の態様を遂行しうる。方法１３００はまた、図９−１２の方法９００、１０００、１１００、および１２００の態様を組み込みうる。
【０１０７】
[0120]ブロック１３０５において、ＵＥ１１５は、図２−４に関連して上述されたように、基地局から、定期的にスケジュールされた送信のために第１のＰＲＡＣＨ信号を送るための第１のリソースの割り振りを受信しえ、ここにおいて、第１のリソースの割り振りは、時間または周波数リソースのうちの少なくとも１つを含む。ある特定の例では、ブロック１３０５の動作は、図６に関連して上述されたように、リソース割り振りモジュール６０５によって遂行されうる。
【０１０８】
[0121]ブロック１３１０において、ＵＥ１１５は、図２−４に関連して上述されたように、定期的にスケジュールされた送信のための第１のレポーティングトリガを検出しうる。ある特定の例では、ブロック１３１０の動作は、図７に関連して上述されたように、定期的にスケジュールされたトリガモジュール７１５によって遂行されうる。
【０１０９】
[0122]ブロック１３１５において、ＵＥ１１５は、図２−４に関連して上述されたように、レポーティングトリガを検出することに応答して、第１のＰＲＡＣＨ信号を第１のリソースの割り振りを通して基地局に送信しうる。ある特定の例では、ブロック１３１５の動作は、図６に関連して上述されたように、送信スケジューリングモジュール６１５によって遂行されうる。
【０１１０】
[0123]ブロック１３２０において、ＵＥ１１５は、図２−４に関連して上述されたように、第１のＰＲＡＣＨ信号に応答して、基地局からＰＲＡＣＨ応答を受信しうる。ある特定の例では、ブロック１３２０の動作は、図５に関連して上述されたように、受信機５０５によって遂行されうる。
【０１１１】
[0124]ブロック１３２５において、ＵＥ１１５は、図２−４に関連して上述されたように、ＰＲＡＣＨ応答に部分的に基づいて、ＵＥに対するアクティブＩＤを決定しうる。ある特定の例では、ブロック１３２５の動作は、図７に関連して上述されたように、アクティブＩＤモジュール７３５によって遂行されうる。
【０１１２】
[0125]図１４は、本開示の様々な態様にしたがって、セルラインターネットオブシングスシステム中でのランダムアクセスプロシージャのための方法１４００を例示するフローチャートを示す。方法１４００の動作は、図１−８に関連して説明されたように、ＵＥ１１５またはそのコンポーネントによってインプリメントされうる。例えば、方法１４００の動作は、図５−９に関連して説明されたように、通信管理モジュール５１０によって遂行されうる。いくつかの例では、ＵＥ１１５は、以下に説明される機能を遂行するためのＵＥ１１５の機能的な要素を制御するために、コードのセットを実行しうる。加えてまたは代替として、ＵＥ１１５は、特殊用途ハードウェアを使用して、以下に説明される機能の態様を遂行しうる。方法１４００はまた、図９−１３の方法９００、１０００、１１００、１２００、および１３００の態様を組み込みうる。
【０１１３】
[0126]ブロック１４０５において、ＵＥ１１５は、図２−４に関連して上述されたように、基地局から、定期的にスケジュールされた送信のために第１のＰＲＡＣＨ信号を送るための第１のリソースの割り振りを受信しえ、ここにおいて、第１のリソースの割り振りは、時間または周波数リソースのうちの少なくとも１つを含む。ある特定の例では、ブロック１４０５の動作は、図６に関連して上述されたように、リソース割り振りモジュール６０５によって遂行されうる。
【０１１４】
[0127]ブロック１４１０において、ＵＥ１１５は、図２−４に関連して上述されたように、定期的にスケジュールされた送信のための第１のレポーティングトリガを検出しうる。ある特定の例では、ブロック１４１０の動作は、図６に関連して上述されたように、トリガ検出モジュール６１０によって遂行されうる。
【０１１５】
[0128]ブロック１４１５において、ＵＥ１１５は、図２−４に関連して上述されたように、レポーティングトリガを検出することに応答して、第１のＰＲＡＣＨ信号を第１のリソースの割り振りを通して基地局に送信しうる。ある特定の例では、ブロック１４１５の動作は、図６に関連して上述されたように、送信スケジューリングモジュール６１５によって遂行されうる。
【０１１６】
[0129]ブロック１４２０において、ＵＥ１１５は、図２−４に関連して上述されたように、第１のリソースの割り振りまたは第２のリソースの割り振りのうちの少なくとも１つを使用して、第１のＰＲＡＣＨ信号中でＰＵＳＣＨに対する要求を送信しうる。ある特定の例では、ブロック１４２０の動作は、図７に関連して上述されたように、ＰＵＳＣＨ要求モジュール７４０によって遂行されうる。
【０１１７】
[0130]このことから、方法９００、１０００、１１００、１２００、１３００、および１４００は、セルラインターネットオブシングスシステム中でのランダムアクセスプロシージャを提供しうる。方法９００、１０００、１１００、１２００、１３００、および１４００は、可能な実施形態を説明しており、動作およびステップは、他の実施形態が可能になるように、再配置またはそうでない場合は修正されうることに留意されたい。いくつかの例では、方法９００、１０００、１１００、１２００、１３００、および１４００のうちの２つ以上からの態様が組み合されうる。
【０１１８】
[0131]添付された図面に関連して上述された詳細な説明は、例証的な実施形態を説明しており、インプリメントされうるまたは特許請求の範囲の範囲内にある全ての実施形態を表してはいない。この説明全体を通じて使用されている「例証的（exemplary）」という用語は、「好ましい」または「他の実施形態より有利である」ということではなく、「例、事例、または例示としての役割を果たすこと」を意味する。詳細な説明は、説明された技法の理解を提供することを目的として特定の詳細を含む。これらの技法は、しかしながら、これらの特定の詳細なしに実施されうる。いくつかの事例では、良く知られている構造およびデバイスは、説明された実施形態の概念を曖昧にすることを避けるために、ブロック図形式で示されている。
【０１１９】
[0132]情報および信号は、多様な異なる技術および技法のうちの任意のものを使用して表わされうる。例えば、上記の説明全体を通じて参照されうるデータ、命令、コマンド、情報、信号、ビット、シンボル、およびチップは、電圧、電流、電磁波、磁場または磁性粒子、光場または光粒子、あるいはそれらの任意の組み合わせによって表されうる。
【０１２０】
[0133]本明細書での開示に関連して説明された様々な例示的なブロックおよびモジュールは、汎用プロセッサ、デジタルシグナルプロセッサ（ＤＳＰ）、ＡＳＩＣ、ＦＰＧＡまたは他のプログラマブル論理デバイス、離散ゲートまたはトランジスタ論理、離散ハードウェアコンポーネント、あるいは本明細書で説明された機能を遂行するように設計されたそれらの任意の組み合わせを用いてインプリメントまたは遂行されうる。汎用プロセッサは、マイクロプロセッサでありうるが、代替では、プロセッサは、任意の従来のプロセッサ、コントローラ、マイクロコントローラ、またはステートマシンでありうる。プロセッサはまた、計算デバイスの組み合わせ（例えば、ＤＳＰおよびマイクロプロセッサの組み合わせ、複数のマイクロプロセッサ、ＤＳＰコアと連携した１つまたは複数のマイクロプロセッサ、あるいは任意の他のそのような構成）としてインプリメントされうる。
【０１２１】
[0134]本明細書で説明された機能は、ハードウェア、プロセッサによって実行されるソフトウェア、ファームウェア、またはそれらの任意の組み合わせ中でインプリメントされうる。プロセッサによって実行されるソフトウェア中でインプリメントされる場合、機能は、コンピュータ可読媒体上で、１つまたは複数の命令またはコードとして記憶または送信されうる。他の例および実施形態は、本開示および添付された特許請求の範囲の範囲内にある。例えば、ソフトウェアの性質に起因して、上述された機能は、プロセッサによって実行されるソフトウェア、ハードウェア、ファームウェア、ハード配線、またはこれらのうちのいずれかの組み合わせを使用してインプリメントされることができる。機能をインプリメントする特徴はまた、機能の一部分が異なる物理的ロケーションにおいてインプリメントされるように分散されることを含めて、様々な位置に物理的にロケートされうる。また、特許請求の範囲を含めて、本明細書で使用される場合、項目のリスト（例えば、「〜のうちの少なくとも１つ（at least one of）」または「〜のうちの１つまたは複数（one or more of）」のようなフレーズで始まる項目のリスト）中で使用される「または／あるいは／もしくは（or）」は、例えば、［Ａ、Ｂ、またはＣのうちの少なくとも１つ］のリストが、Ａ、Ｂ、Ｃ、ＡとＢ、ＡとＣ、ＢとＣ、ＡとＢとＣ（すなわち、Ａ、Ｂ、およびＣ）を意味するような、包含的なリストを示す。
【０１２２】
[0135]コンピュータ可読媒体は、ある場所から別の場所へのコンピュータプログラムの転送を容易にする任意の媒体を含む通信媒体とコンピュータ記憶媒体との両方を含む。記憶媒体は、汎用または特殊用途コンピュータによってアクセスされることができる任意の利用可能な媒体でありうる。限定ではなく例として、コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用されることができ、汎用または特殊用途コンピュータ、もしくは汎用または特殊用途プロセッサによってアクセスされることができる任意の他の媒体を備えることができる。また、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義中に含まれる。ディスク（disk）およびディスク（disc）は、本明細書で使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０１２３】
[0136]本開示の先の説明は、当業者が本開示を製造または使用することを可能にするために提供される。本開示に対する様々な修正は、当業者にとって容易に明らかとなり、本明細書で定義された包括的な原理は、本開示の範囲から逸脱することなしに他の変形に適用されうる。このことから、本開示は、本明細書で説明された例および設計に限定されるべきではなく、本明細書で開示された原理および新規の特徴と一致する最も広い範囲が付与されるべきである。
【０１２４】
[0137]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムに対して使用されうる。「システム」および「ネットワーク」という用語は、交換可能に使用されることが多い。ＣＤＭＡシステムは、ＣＤＭＡ２０００、ユニバーサル地上無線アクセス（ＵＴＲＡ）、等のような無線技術をインプリメントしうる。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００ １Ｘ、１Ｘ、等と呼ばれる。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術をインプリメントしうる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等、のような無線技術をインプリメントしうる。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するユニバーサルモバイル電気通信システム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信のためのグローバルシステム（ＧＳＭ）は、「第３世代パートナーシッププロジェクト」（３ＧＰＰ）という名称の団体からの文書中に説明されている。ＣＤＭＡ２０００およびＵＭＢは、「第３世代パートナーシッププロジェクト２」（３ＧＰＰ２）という名称の団体からの文書中に説明されている。本明細書で説明された技法は、上述されたシステムおよび無線技術ならびに他のシステムおよび無線技術に対して使用されうる。上記の説明は、しかしながら、実例を目的としてＬＴＥシステムを説明しており、ＬＴＥの専門用語が上記の説明の大部分中で使用されているが、本技法は、ＬＴＥアプリケーションを超えて適用可能である。
【図１】
2019009787.tif 000003
【図２】
2019009787.tif 000004
【図３】
2019009787.tif 000005
【図４】
2019009787.tif 000006
【図５】
2019009787.tif 000007
【図６】
2019009787.tif 000008
【図７】
2019009787.tif 000009
【図８】
2019009787.tif 000010
【図９】
2019009787.tif 000011
【図１０】
2019009787.tif 000012
【図１１】
2019009787.tif 000013
【図１２】
2019009787.tif 000014
【図１３】
2019009787.tif 000015
【図１４】
2019009787.tif 000016
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
基地局から、定期的にスケジュールされた送信のために第１の物理ランダムアクセスチャネル（ＰＲＡＣＨ）信号を送るための第１のリソースの割り振りを受信することと、ここにおいて、前記第１のリソースの割り振りは、時間または周波数リソースのうちの少なくとも１つを含む、
前記定期的にスケジュールされた送信のための第１のレポーティングトリガを検出することと、
前記レポーティングトリガを検出することに応答して、前記第１のＰＲＡＣＨ信号を前記第１のリソースの割り振りを通して前記基地局に送信することと
を備える、方法。
【手続補正２】
【補正対象書類名】明細書
【補正対象項目名】０１２４
【補正方法】変更
【補正の内容】
【０１２４】
[0137]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムに対して使用されうる。「システム」および「ネットワーク」という用語は、交換可能に使用されることが多い。ＣＤＭＡシステムは、ＣＤＭＡ２０００、ユニバーサル地上無線アクセス（ＵＴＲＡ）、等のような無線技術をインプリメントしうる。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００ １Ｘ、１Ｘ、等と呼ばれる。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術をインプリメントしうる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等、のような無線技術をインプリメントしうる。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するユニバーサルモバイル電気通信システム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信のためのグローバルシステム（ＧＳＭ）は、「第３世代パートナーシッププロジェクト」（３ＧＰＰ）という名称の団体からの文書中に説明されている。ＣＤＭＡ２０００およびＵＭＢは、「第３世代パートナーシッププロジェクト２」（３ＧＰＰ２）という名称の団体からの文書中に説明されている。本明細書で説明された技法は、上述されたシステムおよび無線技術ならびに他のシステムおよび無線技術に対して使用されうる。上記の説明は、しかしながら、実例を目的としてＬＴＥシステムを説明しており、ＬＴＥの専門用語が上記の説明の大部分中で使用されているが、本技法は、ＬＴＥアプリケーションを超えて適用可能である。
以下に本願の出願当初の特許請求の範囲に記載された発明を付記する。
［Ｃ１］
ユーザ機器（ＵＥ）におけるワイヤレス通信の方法であって、
基地局から、定期的にスケジュールされた送信のために第１の物理ランダムアクセスチャネル（ＰＲＡＣＨ）信号を送るための第１のリソースの割り振りを受信することと、ここにおいて、前記第１のリソースの割り振りは、時間または周波数リソースのうちの少なくとも１つを含む、
前記定期的にスケジュールされた送信のための第１のレポーティングトリガを検出することと、
前記レポーティングトリガを検出することに応答して、前記第１のＰＲＡＣＨ信号を前記第１のリソースの割り振りを通して前記基地局に送信することと
を備える、方法。
［Ｃ２］
前記基地局に関連付けられたパスロス情報を決定することと、
前記第１のＰＲＡＣＨ信号中で前記パスロス情報を前記基地局にレポートすることと  をさらに備える、Ｃ１に記載の方法。
［Ｃ３］
前記パスロス情報は、前記基地局からダウンリンク信号を受信し、前記ダウンリンク信号の強度を測定することによって決定される、Ｃ２に記載の方法。
［Ｃ４］
前記基地局から、オンデマンド送信のために第２のＰＲＡＣＨ信号を送るための第２のリソースの割り振りを受信することと、
前記オンデマンド送信のための第２のレポーティングトリガを検出することと、
前記検出することに基づいて、前記第２のＰＲＡＣＨ信号を前記基地局に送信することと、前記第２のＰＲＡＣＨ信号は、前記第１のリソースの割り振りまたは前記第２のリソースの割り振りを通して送信される、
をさらに備える、Ｃ１に記載の方法。
［Ｃ５］
前記オンデマンド送信は、前記定期的にスケジュールされた送信より高い優先度を割り当てられる、Ｃ４に記載の方法。
［Ｃ６］
前記第１および第２のリソースの割り振りは、重複しない、Ｃ４に記載の方法。
［Ｃ７］
前記第１のリソースの割り振りは、前記第２のリソースの割り振りのサブセットである、Ｃ４に記載の方法。
［Ｃ８］
前記基地局からアクセスレベル情報を受信することと、前記アクセスレベル情報は、前記定期的にスケジュールされた送信および前記オンデマンド送信に関連付けられる、
前記第１のＰＲＡＣＨ信号または前記第２のＰＲＡＣＨ信号のうちの少なくとも１つについてのアクセス優先度が前記アクセスレベル情報を上回るどうかを決定することと、  前記決定することに基づいて、前記第１のＰＲＡＣＨ信号または前記第２のＰＲＡＣＨ信号を送信することと
をさらに備える、Ｃ４に記載の方法。
［Ｃ９］
前記アクセスレベル情報は、前記第１のリソースの割り振りおよび前記第２のリソースの割り振りの負荷ファクタに基づく、Ｃ８に記載の方法。
［Ｃ１０］
前記第１のＰＲＡＣＨ信号に応答して、前記基地局からＰＲＡＣＨ応答を受信することと、
前記ＰＲＡＣＨ応答に部分的に基づいて、前記ＵＥに対するアクティブ識別情報（ＩＤ）を決定することと
をさらに備える、Ｃ１に記載の方法。
［Ｃ１１］
物理ダウンリンク共有チャネル（ＰＤＳＣＨ）および物理アップリンク共有チャネル（ＰＵＳＣＨ）割り当てのために前記アクティブＩＤを使用することをさらに備える、Ｃ１０に記載の方法。
［Ｃ１２］
前記第１のリソースの割り振りまたは前記第２のリソースの割り振りのうちの少なくとも１つを使用して、前記第１のＰＲＡＣＨ信号中でＰＵＳＣＨに対する要求を送信することをさらに備える、Ｃ１に記載の方法。
［Ｃ１３］
マシンタイプ通信（ＭＴＣ）プロシージャに基づいて、データをネットワークと交換することをさらに備える、Ｃ１に記載の方法。
［Ｃ１４］
ユーザ機器（ＵＥ）におけるワイヤレス通信のための装置であって、
基地局から、定期的にスケジュールされた送信のために第１の物理ランダムアクセスチャネル（ＰＲＡＣＨ）信号を送るための第１のリソースの割り振りを受信するための手段と、ここにおいて、前記第１のリソースの割り振りは、時間または周波数リソースのうちの少なくとも１つを含む、
前記定期的にスケジュールされた送信のための第１のレポーティングトリガを検出するための手段と、
前記レポーティングトリガを検出することに応答して、前記第１のＰＲＡＣＨ信号を前記第１のリソースの割り振りを通して前記基地局に送信するための手段と
を備える、装置。
［Ｃ１５］
前記基地局に関連付けられたパスロス情報を決定するための手段と、
前記第１のＰＲＡＣＨ信号中で前記パスロス情報を前記基地局にレポートするための手段と
をさらに備える、Ｃ１４に記載の装置。
［Ｃ１６］
前記パスロス情報は、前記基地局からダウンリンク信号を受信し、前記ダウンリンク信号の強度を測定することによって決定される、Ｃ１５に記載の装置。
［Ｃ１７］
前記基地局から、オンデマンド送信のために第２のＰＲＡＣＨ信号を送るための第２のリソースの割り振りを受信するための手段と、
前記オンデマンド送信のための第２のレポーティングトリガを検出するための手段と、  前記検出することに基づいて、前記第２のＰＲＡＣＨ信号を前記基地局に送信するための手段と、前記第２のＰＲＡＣＨ信号は、前記第１のリソースの割り振りまたは前記第２のリソースの割り振りを通して送信される、
をさらに備える、Ｃ１４に記載の装置。
［Ｃ１８］
前記オンデマンド送信は、前記定期的にスケジュールされた送信より高い優先度を割り当てられる、Ｃ１７に記載の装置。
［Ｃ１９］
前記第１および第２のリソースの割り振りは、重複できない、Ｃ１７に記載の装置。
［Ｃ２０］
前記第１のリソースの割り振りは、前記第２のリソースの割り振りのサブセットである、Ｃ１７に記載の装置。
［Ｃ２１］
前記基地局からアクセスレベル情報を受信するための手段と、前記アクセスレベル情報は、前記定期的にスケジュールされた送信および前記オンデマンド送信に関連付けられる、
前記第１のＰＲＡＣＨ信号または前記第２のＰＲＡＣＨ信号のうちの少なくとも１つについてのアクセス優先度が前記アクセスレベル情報を上回るどうかを決定するための手段と、
前記決定することに基づいて、前記第１のＰＲＡＣＨ信号または前記第２のＰＲＡＣＨ信号を送信するための手段と
をさらに備える、Ｃ１７に記載の装置。
［Ｃ２２］
ユーザ機器（ＵＥ）におけるワイヤレス通信のための装置であって、
プロセッサと、
前記プロセッサと電子通信状態にあるメモリと、
前記メモリ中に記憶された命令と
を備え、前記命令は、
基地局から、定期的にスケジュールされた送信のために第１の物理ランダムアクセスチャネル（ＰＲＡＣＨ）信号を送るための第１のリソースの割り振りを受信することと、ここにおいて、前記第１のリソースの割り振りは、時間または周波数リソースのうちの少なくとも１つを含む、
前記定期的にスケジュールされた送信のための第１のレポーティングトリガを検出することと、
前記レポーティングトリガを検出することに応答して、前記第１のＰＲＡＣＨ信号を前記第１のリソースの割り振りを通して前記基地局に送信することと
を行うように前記プロセッサによって実行可能である、装置。
［Ｃ２３］
前記命令は、
前記基地局に関連付けられたパスロス情報を決定することと、
前記第１のＰＲＡＣＨ信号中で前記パスロス情報を前記基地局にレポートすることと  を行うように前記プロセッサによって実行可能である、Ｃ２２に記載の装置。
［Ｃ２４］
前記パスロス情報は、前記基地局からダウンリンク信号を受信し、前記ダウンリンク信号の強度を測定することによって決定される、Ｃ２３に記載の装置。
［Ｃ２５］
前記命令は、
前記基地局から、オンデマンド送信のために第２のＰＲＡＣＨ信号を送るための第２のリソースの割り振りを受信することと、
前記オンデマンド送信のための第２のレポーティングトリガを検出することと、
前記検出することに基づいて、前記第２のＰＲＡＣＨ信号を前記基地局に送信することと、前記第２のＰＲＡＣＨ信号は、前記第１のリソースの割り振りまたは前記第２のリソースの割り振りを通して送信される、
を行うように前記プロセッサによって実行可能である、Ｃ２２に記載の装置。
［Ｃ２６］
前記オンデマンド送信は、前記定期的にスケジュールされた送信より高い優先度を割り当てられる、Ｃ２５に記載の装置。
［Ｃ２７］
前記第１および第２のリソースの割り振りは、重複しない、Ｃ２５に記載の装置。
［Ｃ２８］
前記第１のリソースの割り振りは、前記第２のリソースの割り振りのサブセットである、Ｃ２５に記載の装置。
［Ｃ２９］
前記命令は、
前記基地局からアクセスレベル情報を受信することと、前記アクセスレベル情報は、前記定期的にスケジュールされた送信および前記オンデマンド送信に関連付けられる、
前記第１のＰＲＡＣＨ信号または前記第２のＰＲＡＣＨ信号のうちの少なくとも１つについてのアクセス優先度が前記アクセスレベル情報を上回るどうかを決定することと、  前記決定することに基づいて、前記第１のＰＲＡＣＨ信号または前記第２のＰＲＡＣＨ信号を送信することと
を行うように前記プロセッサによって実行可能である、Ｃ２５に記載の装置。
［Ｃ３０］
ユーザ機器（ＵＥ）におけるワイヤレス通信のためのコードを記憶する非一時的コンピュータ可読媒体であって、前記コードは、
基地局から、定期的にスケジュールされた送信のために第１の物理ランダムアクセスチャネル（ＰＲＡＣＨ）信号を送るための第１のリソースの割り振りを受信することと、ここにおいて、前記第１のリソースの割り振りは、時間または周波数リソースのうちの少なくとも１つを含む、
前記定期的にスケジュールされた送信のための第１のレポーティングトリガを検出することと、
前記レポーティングトリガを検出することに応答して、前記第１のＰＲＡＣＨ信号を前記第１のリソースの割り振りを通して前記基地局に送信することと
を行うように実行可能である命令を備える、非一時的コンピュータ可読媒体。
【外国語明細書】
2019009787000001.pdf